(57)【特許請求の範囲】
【請求項１】
指向性アンテナにより放送波を受信する放送受信部と、
前記指向性アンテナの方向を測定する方向測定部と、
前記指向性アンテナが受信した放送波の品質に関する情報を測定する品質測定部と、
前記方向測定部によって測定された方向と、前記品質測定部によって測定された品質に関する情報とを含む測定情報を記憶する記憶部と、
前記方向測定部による方向の測定と前記品質測定部による品質に関する情報の測定とを制御し、前記記憶部に記憶する前記測定情報を更新し、最良の品質が得られる方向を選択する制御部と、
前記放送受信部によって受信された映像の上部が、前記制御部によって選択された最良の品質が得られる方向を向くように前記映像を回転させる映像回転部と、
前記映像回転部によって回転された映像を表示する表示部とを備えることを特徴とする携帯型テレビ放送受信装置。
【請求項２】
前記品質測定部は、前記指向性アンテナが受信した放送波の電界強度値を測定する電界強度測定部を含み、
前記記憶部は、前記方向測定部によって測定された方向と、前記電界強度測定部によって測定された電界強度値とを含む測定情報を記憶し、
前記制御部は、前記方向測定部による方向の測定と前記電界強度測定部による電界強度値の測定とを制御し、前記記憶部に記憶する前記測定情報を更新し、最大の電界強度値が得られる方向を選択し、
前記映像回転部は、前記放送受信部によって受信された映像の上部が、前記制御部によって選択された最大の電界強度値が得られる方向を向くように前記映像を回転させることを特徴とする請求項１記載の携帯型テレビ放送受信装置。
【請求項３】
前記方向測定部は、指向性アンテナの方向の変化を検出した場合に方向変化通知を出力し、
前記電界強度測定部は、電界強度値の変化を検出した場合に電界強度変化通知を出力し、
前記制御部は、一定時間が経過する毎に、前記方向変化通知が入力された場合又は前記電界強度変化通知が入力された場合、前記方向測定部による方向の測定と前記電界強度測定部による電界強度値の測定とを制御することを特徴とする請求項２記載の携帯型テレビ放送受信装置。
【請求項４】
前記制御部は、現在の前記指向性アンテナの方向に対応する電界強度値が閾値以上であるか否かを判断し、
前記表示部は、電界強度値が閾値以上であると判断された場合、前記放送受信部によって受信された映像を回転させずに表示することを特徴とする請求項２又は３記載の携帯型テレビ放送受信装置。
【請求項５】
前記放送受信部は、前記電界強度値が閾値未満であると判断された場合、指向性アンテナにより受信された放送波をデコードするデコード処理の少なくとも一部を省略し、
前記表示部は、前記放送受信部によって受信された映像を表示せずに、前記映像の上部を識別可能な表示枠のみを表示することを特徴とする請求項４記載の携帯型テレビ放送受信装置。
【請求項６】
前記表示部に映像が表示されているときに、ユーザによる電界強度値の登録指示を受け付ける電界強度登録受付部と、
前記電界強度登録受付部によって登録指示が受け付けられたときの前記指向性アンテナの方向に対応する電界強度値を前記閾値として前記記憶部に登録する電界強度登録部とをさらに備えることを特徴とする請求項４又は５記載の携帯型テレビ放送受信装置。
【請求項７】
時計部をさらに備え、
前記制御部は、前記測定情報に加えて前記時計部から取得した時刻を前記記憶部に記憶し、前記記憶部に記憶している前記測定情報を取得した時刻から閾値以上の時間が経過した場合、前記測定情報を前記記憶部から破棄することを特徴とする請求項１〜６のいずれかに記載の携帯型テレビ放送受信装置。
【請求項８】
前記携帯型テレビ放送受信装置の現在位置を測定する測位部をさらに備え、
前記制御部は、前記測定情報に加えて前記測位部から取得した位置情報を前記記憶部に記憶し、前記記憶部に記憶している前記測定情報を取得した位置から閾値以上の距離を前記携帯型テレビ放送受信装置が移動した場合、前記測定情報を前記記憶部から破棄することを特徴とする請求項１〜７のいずれかに記載の携帯型テレビ放送受信装置。
【請求項９】
前記制御部は、閾値以上の電界強度値が得られる方向を選択し、閾値以上の電界強度値が得られる方向が複数ある場合、現在の前記指向性アンテナからの回転角度が最小となる方向を複数の方向の中から選択することを特徴とする請求項２〜８のいずれかに記載の携帯型テレビ放送受信装置。
【請求項１０】
前記記憶部は、前記閾値を記憶し、
前記閾値を変更する変更部をさらに備えることを特徴とする請求項４〜９のいずれかに記載の携帯型テレビ放送受信装置。
【請求項１１】
前記映像回転部は、前記映像を回転させる際に、前記映像全体が前記表示部の表示画面内に収まるサイズに縮小することを特徴とする請求項１〜１０のいずれかに記載の携帯型テレビ放送受信装置。
【請求項１２】
前記表示部は、前記映像回転部によって回転された映像を、前記映像の上部を識別可能な表示枠内に表示することを特徴とする請求項１〜１１のいずれかに記載の携帯型テレビ放送受信装置。
【請求項１３】
前記表示部は、表示画面が円形状又は楕円形状であることを特徴とする請求項１２記載の携帯型テレビ放送受信装置。
【請求項１４】
前記表示部に映像が表示されているときに、ユーザによる前記指向性アンテナの方向の登録指示を受け付ける方向登録受付部と、
前記方向登録受付部によって登録指示が受け付けられたときの前記指向性アンテナの方向を前記記憶部に登録する方向登録部とをさらに備え、
前記映像回転部は、前記放送受信部によって受信された映像の上部が、前記記憶部に登録されている方向を向くように前記映像を回転させることを特徴とする請求項１〜１３のいずれかに記載の携帯型テレビ放送受信装置。
【請求項１５】
前記制御部によって選択された最大の電界強度値が得られる方向と、現在の前記指向性アンテナの方向との角度を算出し、算出した角度分だけ前記指向性アンテナを自動的に移動させるアンテナ移動部をさらに備えることを特徴とする請求項２〜１４のいずれかに記載の携帯型テレビ放送受信装置。
【請求項１６】
前記携帯型テレビ放送受信装置の現在位置を測定する測位部と、
前記測位部によって測定された現在位置情報をサーバへ送信するとともに、前記現在位置における電界強度値を前記サーバから受信する通信部とをさらに備え、
前記制御部は、前記通信部によって受信された電界強度値を初期値として前記記憶部に設定することを特徴とする請求項２〜１５のいずれかに記載の携帯型テレビ放送受信装置。
【請求項１７】
前記携帯型テレビ放送受信装置の現在位置を測定する測位部と、
前記測位部によって測定された現在位置情報をサーバへ送信するとともに、前記現在位置から所定の範囲内にある最も強い電界強度が得られる所定の位置における電界強度値と前記所定の位置の位置情報とを前記サーバから受信する通信部とをさらに備え、
前記制御部は、前記現在位置を起点とした、前記通信部によって受信された前記所定の位置の方向を、誘導する方向とし、
前記映像回転部は、前記放送受信部によって受信された映像の上部が、前記通信部によって受信された前記所定の位置の方向を向くように前記映像を回転させることを特徴とする請求項２〜１６のいずれかに記載の携帯型テレビ放送受信装置。
【請求項１８】
前記品質測定部は、前記指向性アンテナが受信した放送波のビット誤り率を測定するビット誤り率測定部を含み、
前記記憶部は、前記方向測定部によって測定された方向と、前記ビット誤り率測定部によって測定されたビット誤り率とを含む測定情報を記憶し、
前記制御部は、前記方向測定部による方向の測定と前記ビット誤り率測定部によるビット誤り率の測定とを制御し、前記記憶部に記憶する前記測定情報を更新し、最小のビット誤り率が得られる方向を選択し、
前記映像回転部は、前記放送受信部によって受信された映像の上部が、前記制御部によって選択された最小のビット誤り率が得られる方向を向くように前記映像を回転させることを特徴とする請求項１記載の携帯型テレビ放送受信装置。
【請求項１９】
指向性アンテナにより放送波を受信する放送受信ステップと、
前記指向性アンテナの方向を測定する方向測定ステップと、
前記指向性アンテナが受信した放送波の品質に関する情報を測定する品質測定ステップと、
前記方向測定ステップにおいて測定された方向と、前記品質測定ステップにおいて測定された品質に関する情報とを含む測定情報を記憶部に記憶する記憶ステップと、
前記方向測定ステップにおける方向の測定と前記品質測定ステップにおける品質に関する情報の測定とを制御し、前記記憶部に記憶する前記測定情報を更新し、最良の品質が得られる方向を選択する制御ステップと、
前記放送受信ステップにおいて受信された映像の上部が、前記制御ステップにおいて選択された最良の品質が得られる方向を向くように前記映像を回転させる映像回転ステップと、
前記映像回転ステップにおいて回転された映像を表示する表示ステップとを含むことを特徴とするテレビ放送受信方法。
【請求項２０】
指向性アンテナの方向を測定する方向測定部によって測定された方向と、指向性アンテナが受信した放送波の品質に関する情報を測定する品質測定部によって測定された品質に関する情報とを含む測定情報を記憶する記憶部と、
前記方向測定部による方向の測定と前記品質測定部による品質に関する情報の測定とを制御し、前記記憶部に記憶する前記測定情報を更新し、最良の品質が得られる方向を選択する制御部と、
指向性アンテナにより放送波を受信する放送受信部によって受信された映像の上部が、前記制御部によって選択された最良の品質が得られる方向を向くように前記映像を回転させる映像回転部と、
前記映像回転部によって回転された映像を表示する表示部としてコンピュータを機能させることを特徴とするテレビ放送受信プログラム。
【請求項２１】
指向性アンテナの方向を測定する方向測定部によって測定された方向と、指向性アンテナが受信した放送波の品質に関する情報を測定する品質測定部によって測定された品質に関する情報とを含む測定情報を記憶する記憶部と、
前記方向測定部による方向の測定と前記品質測定部による品質に関する情報の測定とを制御し、前記記憶部に記憶する前記測定情報を更新し、最良の品質が得られる方向を選択する制御部と、
指向性アンテナにより放送波を受信する放送受信部によって受信された映像の上部が、前記制御部によって選択された最良の品質が得られる方向を向くように前記映像を回転させる映像回転部と、
前記映像回転部によって回転された映像を表示する表示部としてコンピュータを機能させることを特徴とするテレビ放送受信プログラムを記録したコンピュータ読み取り可能な記録媒体。
【発明の詳細な説明】
【技術分野】
【０００１】
本発明は、携帯端末向けの地上波デジタル・テレビ放送や地上波アナログ・テレビ放送を受信する携帯型テレビ放送受信装置、テレビ放送受信方法、テレビ放送受信プログラム及びテレビ放送受信プログラムを記録したコンピュータ読み取り可能な記録媒体に関するものである。
【背景技術】
【０００２】
従来例として、非特許文献１に紹介されている地上波デジタル放送の受信が行える携帯端末を挙げる。非特許文献１の携帯端末は、強い電界強度を得るために、従来の携帯電話のアンテナと、携帯ラジオなどで使われるイヤホンのコードを利用するイヤホン・アンテナとの両方でダイバーシチ受信を行う。
【０００３】
また、電界強度の強い位置へとユーザを導く技術が特許文献１に提案されている。特許文献１の携帯通信端末は、地磁気センサーやジャイロセンサーを使い電界強度と指向性アンテナの向きとを携帯通信端末の画面に表示してユーザを電界強度の強い方向に導く。
【特許文献１】特開２００１−３６３２０号公報
【非特許文献１】日経ネットワーク２００４年８月号記事、「地上波デジタル放送を見られる携帯電話の仕組み」、インターネット<URL:http://itpro.nikkeibp.co.jp/free/TIS/keitai/20040913/149826/index.shtml>
【発明の開示】
【発明が解決しようとする課題】
【０００４】
非特許文献１の技術では、イヤホンを利用しない場合は充分な電界強度が得られず、テレビ放送を視聴できないという問題がある。また、特許文献１の技術は、強い電界強度を得られる方向を探している間はテレビ放送を視聴できないという問題がある。さらに、特許文献１の技術は、テレビ視聴に充分な電界強度が得られる方向がユーザに伝わりにくいという問題がある。
【０００５】
本発明は、上記の問題を解決するためになされたもので、テレビ視聴に充分な品質が得られる方向に、指向性アンテナの向きを容易に変更することができる携帯型テレビ放送受信装置、テレビ放送受信方法、テレビ放送受信プログラム及びテレビ放送受信プログラムを記録したコンピュータ読み取り可能な記録媒体を提供することを目的とするものである。
【課題を解決するための手段】
【０００６】
本発明の一局面に係る携帯型テレビ放送受信装置は、指向性アンテナにより放送波を受信する放送受信部と、前記指向性アンテナの方向を測定する方向測定部と、前記指向性アンテナが受信した放送波の品質に関する情報を測定する品質測定部と、前記方向測定部によって測定された方向と、前記品質測定部によって測定された品質に関する情報とを含む測定情報を記憶する記憶部と、前記方向測定部による方向の測定と前記品質測定部による品質に関する情報の測定とを制御し、前記記憶部に記憶する前記測定情報を更新し、最良の品質が得られる方向を選択する制御部と、前記放送受信部によって受信された映像の上部が、前記制御部によって選択された最良の品質が得られる方向を向くように前記映像を回転させる映像回転部と、前記映像回転部によって回転された映像を表示する表示部とを備える。
【０００７】
本発明の他の局面に係るテレビ放送受信方法は、指向性アンテナにより放送波を受信する放送受信ステップと、前記指向性アンテナの方向を測定する方向測定ステップと、前記指向性アンテナが受信した放送波の品質に関する情報を測定する品質測定ステップと、前記方向測定ステップにおいて測定された方向と、前記品質測定ステップにおいて測定された品質に関する情報とを含む測定情報を記憶部に記憶する記憶ステップと、前記方向測定ステップにおける方向の測定と前記品質測定ステップにおける品質に関する情報の測定とを制御し、前記記憶部に記憶する前記測定情報を更新し、最良の品質が得られる方向を選択する制御ステップと、前記放送受信ステップにおいて受信された映像の上部が、前記制御ステップにおいて選択された最良の品質が得られる方向を向くように前記映像を回転させる映像回転ステップと、前記映像回転ステップにおいて回転された映像を表示する表示ステップとを含む。
【０００８】
本発明の他の局面に係るテレビ放送受信プログラムは、指向性アンテナの方向を測定する方向測定部によって測定された方向と、指向性アンテナが受信した放送波の品質に関する情報を測定する品質測定部によって測定された品質に関する情報とを含む測定情報を記憶する記憶部と、前記方向測定部による方向の測定と前記品質測定部による品質に関する情報の測定とを制御し、前記記憶部に記憶する前記測定情報を更新し、最良の品質が得られる方向を選択する制御部と、指向性アンテナにより放送波を受信する放送受信部によって受信された映像の上部が、前記制御部によって選択された最良の品質が得られる方向を向くように前記映像を回転させる映像回転部と、前記映像回転部によって回転された映像を表示する表示部としてコンピュータを機能させる。
【０００９】
本発明の他の局面に係るテレビ放送受信プログラムを記録したコンピュータ読み取り可能な記録媒体は、指向性アンテナの方向を測定する方向測定部によって測定された方向と、指向性アンテナが受信した放送波の品質に関する情報を測定する品質測定部によって測定された品質に関する情報とを含む測定情報を記憶する記憶部と、前記方向測定部による方向の測定と前記品質測定部による品質に関する情報の測定とを制御し、前記記憶部に記憶する前記測定情報を更新し、最良の品質が得られる方向を選択する制御部と、指向性アンテナにより放送波を受信する放送受信部によって受信された映像の上部が、前記制御部によって選択された最良の品質が得られる方向を向くように前記映像を回転させる映像回転部と、前記映像回転部によって回転された映像を表示する表示部としてコンピュータを機能させることを特徴とするテレビ放送受信プログラムを記録している。
【００１０】
これらの構成によれば、指向性アンテナにより放送波が受信される。記憶部には、指向性アンテナの方向と、指向性アンテナが受信した放送波の品質に関する情報とを含む測定情報が記憶されている。指向性アンテナの方向の測定と品質に関する情報の測定とが制御され、記憶部に記憶する測定情報が更新され、最良の品質が得られる方向が選択される。そして、受信された映像の上部が、選択された最良の品質が得られる方向を向くように映像が回転され、回転された映像が表示される。
【発明の効果】
【００１１】
本発明によれば、表示される映像の上部が、最良の品質が得られる方向と一致するので、指向性アンテナの向きを映像の上部の方向へ誘導し、テレビ視聴に充分な品質が得られる方向に、指向性アンテナの向きを容易に変更することができる。
【００１２】
本発明の目的、特徴及び利点は、以下の詳細な説明と添付図面とによって、より明白となる。
【発明を実施するための最良の形態】
【００１３】
以下、本発明の一実施の形態に係る携帯型テレビ放送受信装置について図面を参照しながら説明する。
【００１４】
（実施の形態１）
テレビ放送の受信品質は、放送アンテナから直接受信する電波、または建築物若しくは山に反射してから間接的に受信する電波の電界強度によって微妙に変化する。特に携帯端末のユーザは、現在位置にいて得られる最大の受信品質で映像が見られるようにするため、携帯端末のアンテナ指向性の向きを変更する。
【００１５】
図１は、本発明の実施の形態１に係る携帯型テレビ放送受信装置の構成を示す図である。図１に示す携帯型テレビ放送受信装置は、アンテナ１０、テレビ放送受信部２０、記憶部３０、制御部４０、表示部５０、方向測定部６０、電界強度測定部７０及び映像回転処理部８０を備える。
【００１６】
アンテナ１０は、放送アンテナからの放送波を受信する。テレビ放送受信部２０は、アンテナ１０で受信した放送波から放送信号を復調し、放送信号から符号化された放送データを復号する。電界強度測定部７０は、アンテナ１０が受信する放送波の電界強度を測定する。また、電界強度測定部７０は、電界強度が変化した時、制御部４０に対して電界強度の変化を通知する。方向測定部６０は、携帯型テレビ放送受信装置のアンテナ指向性の方向を測定する。また、方向測定部６０は、アンテナ指向性の方向が変化した時に制御部４０に対してアンテナ指向性の方向の変化を通知する。記憶部３０は、常時更新を行う電界強度と電界強度を測定した時のアンテナ指向性の方向とを含む測定情報と、テレビ受信に問題のない電界強度かどうか判定するための閾値とを保持する。なお、この閾値は変更可能であり、ユーザによる閾値の変更を受け付け、制御部４０は、記憶部３０に記憶されている閾値を、受け付けた閾値に変更してもよい。
【００１７】
制御部４０は、電界強度測定部７０からの電界強度変化通知、方向測定部６０からの方向変化通知及び自身で制御するタイマのタイムアウト通知のいずれかを受信した時に電界強度測定部７０から電界強度を取得するとともに方向測定部６０から電界強度を測定した時のアンテナ指向性の方向を取得し、記憶部３０の電界強度と電界強度を測定した時のアンテナ指向性の方向ならびに現在のアンテナ指向性の方向の情報の更新を行い、最大の電界強度が得られるアンテナ指向性の方向を判定する。映像回転処理部８０は、制御部４０が設定する回転角度で映像を回転させる。表示部５０は、映像回転処理部８０で回転した映像を表示する。
【００１８】
制御部４０は、例えばＣＰＵ（中央演算処理装置）で構成され、ＲＯＭ（リードオンリメモリ）等のコンピュータ読み取り可能な記録媒体に記録されているテレビ放送受信プログラムを実行することにより、携帯型テレビ放送受信装置の各部を制御する。
【００１９】
なお、本実施の形態において、テレビ放送受信部２０が放送受信部の一例に相当し、方向測定部８０が方向測定部の一例に相当し、電界強度測定部７０が品質測定部の一例に相当し、記憶部３０が記憶部の一例に相当し、制御部４０が制御部及び変更部の一例に相当し、映像回転処理部８０が映像回転部の一例に相当し、表示部５０が表示部の一例に相当する。
【００２０】
また、本実施の形態における携帯型テレビ放送受信装置は、例えば携帯電話機などの携帯通信端末である。携帯型テレビ放送受信装置は、ＰＨＳ（Personal Handyphone System）、ＰＤＡ（Personal Data Assistance）、通信機能を備えた携帯型ビデオゲーム装置及び通信機能を備えたノートパソコン等であってもよい。
【００２１】
図２は、本発明の制御部４０の動作を説明するためのフローチャートである。まず、制御部４０は、テレビ視聴開始時に、機能ＯＮフラグを参照し、機能ＯＮフラグがＯＮであるか否かを判断する（ステップＳ１）。機能ＯＮフラグがＯＮであるか否かを判断することで本発明による制御を行うか否かの判定を行う。機能ＯＮフラグとは、本発明による映像の回転表示を行うかどうかを判断するためのフラグであり、ユーザ操作等により設定される。機能ＯＮフラグがＯＦＦであると判断された場合（ステップＳ１でＮＯ）、処理を終了する。
【００２２】
一方、機能ＯＮフラグがＯＮであると判断された場合（ステップＳ１でＹＥＳ）、制御部４０は、アンテナ指向性の方向及び電界強度を測定する測定処理を実行する（ステップＳ２）。なお、測定処理の詳細については後述する。次に、制御部４０は、測定処理結果に基づいて記憶部３０の記憶内容を更新する記憶部更新処理を実行する（ステップＳ３）。なお、記憶部更新処理の詳細については後述する。次に、制御部４０は、表示部５０の画面に表示される映像の画角の更新が必要であるか否かを判断する（ステップＳ４）。
【００２３】
ここで、画角の更新が必要であると判断された場合（ステップＳ４でＹＥＳ）、制御部４０は、映像を回転させる映像回転処理を実行する（ステップＳ５）。映像回転処理は、後述する電界強度管理テーブルの画角更新フラグがＯＮの場合に行う。すなわち、ステップＳ４において、制御部４０は、画角更新フラグがＯＮの場合、画角の更新が必要であると判断し、画角更新フラグがＯＦＦの場合、画角の更新が不要であると判断する。なお、映像回転処理の詳細については後述する。
【００２４】
映像回転処理が実行された後、又は画角の更新が不要であると判断された場合（ステップＳ４でＮＯ）、制御部４０は、監視タイマを起動し（ステップＳ６）、画角変更イベントの発生を待つ。次に、制御部４０は、視聴終了指示が入力されたか否かを判断する（ステップＳ７）。視聴を終了する場合、入力部は、ユーザによる視聴終了指示を受け付け、受け付けた視聴終了指示を制御部４０へ出力する。ここで、視聴終了指示が入力されたと判断された場合（ステップＳ７でＹＥＳ）、処理を終了する。
【００２５】
一方、視聴終了指示が入力されていないと判断された場合（ステップＳ７でＮＯ）、制御部４０は、画角変更イベントが発生したか否かを判断する（ステップＳ８）。ここで、画角変更イベントが発生していないと判断された場合（ステップＳ８でＮＯ）、ステップＳ７の処理へ戻り、視聴終了指示が入力されるまで又は画角更新イベントが発生するまで待機状態となる。画角更新イベント待ちの状態で、画角変更イベントが発生したと判断された場合、すなわち、監視タイマのタイムアウト通知、電界強度の変化通知、又はアンテナ指向性の方向の変化通知を受信した場合（ステップＳ８でＹＥＳ）、ステップＳ２の処理へ戻り、制御部４０は測定処理を開始する。
【００２６】
このように、指向性アンテナ１０により放送波が受信される。記憶部３０には、指向性アンテナ１０の方向と、指向性アンテナ１０が受信した放送波の電界強度値とを含む電界強度管理テーブルが記憶されている。指向性アンテナ１０の方向測定と電界強度測定とが制御され、記憶部３０に記憶する電界強度管理テーブルが更新され、最大の電界強度値が得られる方向が選択される。そして、受信された映像の上部が、選択された最大の電界強度値が得られる方向を向くように映像が回転され、回転された映像が表示される。
【００２７】
したがって、表示される映像の上部が、最大の電界強度値が得られる方向と一致するので、指向性アンテナ１０の向きを映像の上部の方向へ誘導し、テレビ視聴に充分な電界強度が得られる方向に、指向性アンテナ１０の向きを容易に変更することができる。
【００２８】
ここで、図２のステップＳ２における測定処理について説明する。図３は、図２のステップＳ２における測定処理について説明するためのフローチャートである。まず、制御部４０は、方向測定部６０からアンテナ指向性の方向を取得する（ステップＳ１１）。次に、制御部４０は、電界強度測定部７０から電界強度を取得する（ステップＳ１２）。方向測定部６０は、Ｘ軸とＹ軸との２つの感磁軸を持つ。つまり、互いに直交するＸ軸方向とＹ軸方向とに磁気センサーを持つことで地磁気との角度を測定する。このため、方向測定部６０は、Ｘ軸とＹ軸とがアンテナ指向性を探る平面と平行になるように配置される。よって、ユーザが本発明の受信端末を操作する際は、センサー感度がよくなるような持ち方をするのが望ましい。
【００２９】
次に、記憶部３０に記憶される電界強度管理テーブルについて説明する。図４は、電界強度管理テーブルについて説明するための図であり、図４（ａ）は、電界強度管理テーブルの一例を示す図であり、図４（ｂ）は、図４（ａ）に示す電界強度管理テーブルにおける電界強度を表す図である。なお、図４（ｂ）において、実線の矢印は指向性アンテナの向きを表し、破線の矢印は電界強度が最大となる向きを表す。
【００３０】
電界強度管理テーブル４００は、図１の記憶部３０に記憶され制御部４０により管理される。電界強度管理テーブル４００の方向４０１には、方向測定部６０で測定されたアンテナ指向性の方向が記憶される。なお、方向４０１は、北を０度とし、各方位を４５度とし、小数点以下１桁まで管理される。電界強度４０２には、電界強度測定部７０で測定されたアンテナ指向性の方向の電界強度が記憶される。また、方向情報４０３には、現在のアンテナ指向性の方向と、最大の電界強度が得られるアンテナ指向性の方向とが記憶される。画角更新フラグには、記憶部更新処理において、現在のアンテナ指向性で電界強度が変化した場合、又はアンテナ指向性の方向が変化した場合に表示映像の画角の変更が必要かを判定するためのフラグが記憶される。
【００３１】
次に、図２のステップＳ３における記憶部更新処理について説明する。図５は、図２のステップＳ３における記憶部更新処理について説明するためのフローチャートである。まず、制御部４０は、記憶部３０に記憶されている電界強度管理テーブルの画角更新フラグ４０４を「更新不要」に初期化する（ステップＳ３１）。次に、制御部４０は、方向測定部６０から取得した現在のアンテナ指向性の方向と、電界強度管理テーブルの方向情報４０３に記憶している現在のアンテナ指向性の方向とを比較する。そして、制御部４０は、現在のアンテナ指向性の方向が変化しているか否かを判断する（ステップＳ３２）。
【００３２】
アンテナ指向性の方向が変化していると判断された場合（ステップＳ３２でＹＥＳ）、制御部４０は、電界強度管理テーブルの方向情報４０３を、方向測定部６０から取得した現在のアンテナ指向性の方向に更新する（ステップＳ３３）。次に、制御部４０は、電界強度管理テーブルの画角更新フラグ４０４を「更新必要」に設定する（ステップＳ３４）。
【００３３】
画角更新フラグが設定された後、又はアンテナ指向性の方向が変化していないと判断された場合（ステップＳ３２でＮＯ）、制御部４０は、電界強度測定部７０から取得した現在のアンテナ指向性での電界強度と、電界強度管理テーブルに記憶されている現在のアンテナ指向性の方向の電界強度４０２とを比較する。そして、制御部４０は、電界強度が変化しているか否かを判断する（ステップＳ３５）。
【００３４】
電界強度が変化していると判断された場合（ステップＳ３５でＹＥＳ）、制御部４０は、電界強度管理テーブルの現在のアンテナ指向性での電界強度４０２を更新する（ステップＳ３６）。次に、制御部４０は、電界強度管理テーブルの画角更新フラグ４０４を「更新必要」に設定する（ステップＳ３７）。
【００３５】
画角更新フラグが設定された後、又は電界強度が変化していないと判断された場合（ステップＳ３５でＮＯ）、制御部４０は、電界強度測定部７０から取得した電界強度と、電界強度管理テーブルに記憶している方向情報４０３の最大電界強度が得られるアンテナ指向性の方向の電界強度４０２とを比較する。そして、制御部４０は、最大電界強度が変化しているか否かを判断する（ステップＳ３８）。最大電界強度が変化していないと判断された場合（ステップＳ３８でＮＯ）、記憶部更新処理を終了する。
【００３６】
最大電界強度が変化していると判断された場合（ステップＳ３８でＹＥＳ）、制御部４０は、電界強度管理テーブルの方向情報４０３の最大電界強度が得られるアンテナ指向性の方向を更新するとともに、当該方向に対応する電界強度４０２を更新する（ステップＳ３９）。次に、制御部４０は、電界強度管理テーブルの画角更新フラグ４０４を「更新必要」に設定し（ステップＳ４０）、記憶部更新処理を終了する。
【００３７】
ここで、記憶部更新処理の実装例バリエーションについて以下に示す。電界強度管理テーブルの画角変更フラグを「更新必要」と設定する条件を変更した場合の実装例を以下に示す。
【００３８】
図５のステップＳ３４及びステップＳ３７における画角更新フラグ設定処理を省略し、ステップＳ４０における画角更新フラグ設定処理のみを実施してもよい。すなわち、最大電界強度が変化していた場合に電界強度管理テーブルの画角変更フラグ４０４を「更新必要」に設定することで、最大電界強度が変更した場合にだけ表示映像の画角を変更することが出来る。
【００３９】
同様に、図５のステップＳ３７における画角更新フラグ設定処理のみを省略し、ステップＳ３４及びステップＳ４０における画角更新フラグ設定処理を実施してもよい。すなわち、最大電界強度またはアンテナ指向性の方向が変更した場合に電界強度管理テーブルの画角変更フラグ４０４を「更新必要」に設定することで、表示映像の画角を変更する条件を変更することが出来る。
【００４０】
次に、図２のステップＳ５における映像回転処理について説明する。図６は、図２のステップＳ５における映像回転処理について説明するためのフローチャートである。図１の制御部４０が映像回転処理部８０に映像の回転角度を設定し、映像回転処理部８０に映像の回転指示を設定することで、表示部５０は回転した映像を表示する。映像回転処理部８０は制御部４０から設定された回転角度で映像の回転を行う。
【００４１】
映像の回転角度は、電界強度が最大の方向の角度からアンテナ指向性の方向の角度を減算した角度で表される。角度の単位は３６０度分の１の精度を持ち、真北を０度とする反時計周りを正の角度とする。映像回転処理部８０は負の回転角度も設定でき、制御部４０は負の角度を２の補数表現で設定する。図６のフローチャートに制御部４０の映像回転の処理の流れを示す。
【００４２】
まず、制御部４０は、図４に示す電界強度管理テーブルから、電界強度が最大の方向の角度を取得する（ステップＳ５１）。次に、制御部４０は、電界強度管理テーブルから、現在位置におけるアンテナ指向性の方向の角度を取得する（ステップＳ５２）。次に、制御部４０は、電界強度が最大となる方向の角度から現在のアンテナ指向性の方向の角度を減算し、映像の回転角度を算出する（ステップＳ５３）。映像の回転角度の算出後、制御部４０は、算出した回転角度を映像回転処理部８０に設定する（ステップＳ５４）。次に、制御部４０は、回転角度による映像の回転の指示を映像回転処理部８０へ出力する（ステップＳ５５）。映像回転処理部８０は、制御部４０からの指示を受けて、設定された回転角度による映像の回転表示を実施する。
【００４３】
また、映像回転処理部８０は、０度でない回転角度が設定された場合に映像が表示画面に収まるよう映像の縮尺倍率を一定に保持して回転表示を行う。例えば、回転角度が０度の時の縦横比が４：３である場合は、縮尺倍率６０％として制御部４０によって設定された回転角度による回転表示を行う。あるいは、映像回転処理部８０は、表示モードを切り替えて、回転角度が０度、９０度、１８０度、及び２７０度の時は、縮尺倍率を１００％、７５％、１００％、及び７５％で回転表示し、前記以外の回転角度の場合は縮尺倍率を６０％で回転表示してもよい。
【００４４】
このように、映像を回転させる際に、映像全体が表示部の表示画面内に収まるサイズに縮小されるので、映像の上部が表示画面内に確実に表示され、映像の上部を容易に認識することができる。
【００４５】
ここで、表示画面に表示される映像について説明する。図７は、表示画面に表示される映像の表示例を示す図である。図７では、アンテナ指向性の方向が０度であり、電界強度が最大となる方向が１３５度である場合に表示画面２０１に表示される映像２１０の表示例を示している。なお、矢印２２０は、アンテナ指向性の方向を表し、矢印２３０は、電界強度が最大となる方向を表している。
【００４６】
この場合、映像２１０の回転角度が１３５度になるため、映像２１０は表示画面２０１の上部２０２の方向に対して１３５度回転して表示される。表示画面２０１の上部２０２はアンテナ指向性の向きを表しており、表示映像２１０の上部２１１は電界強度が最大の方向を表している。アンテナ指向性の方向は、携帯型テレビ放送受信装置を所持するユーザが表示画面２０１を正視できる方向にあり、表示画面２０１の上部２０２と垂直に交わる方向になる。
【００４７】
図２のステップＳ６における監視タイマ起動処理は、携帯型テレビ放送受信装置内の記憶部３０に記憶される電界強度管理テーブルの電界強度の情報及びアンテナ指向性の方向の情報を常に更新するために行われる。制御部４０は、タイマを内蔵しており、当該タイマを起動して、タイマがタイムアウトしたタイミングで電界強度測定部７０と方向測定部６０とから情報を取得し、電界強度管理テーブルを更新する。
【００４８】
図４の電界強度管理テーブル４００において、方向４０１及び方向情報４０３の単位は、３６００度分の１の精度で、真北を０度とする反時計周りを正の角度としている。更に、３６００度分の１の精度の方向を８分割し、２４７．５度〜２９２．４度までを東とし、１５７．５度〜２０２．４度までを南とし、６７．５度〜１１２．４度までを西とし、３３７．５度〜２２．４度までを北とし、２０２．５度〜２４７．４度までを南東とし、１１２．５度〜１５７．４度までを南西とし、２２．５度〜６７．４度までを北西とし、２９２．５度〜３３７．４度までを北東としている。
【００４９】
電界強度４０２は単位ｄＢ（デシベル）で管理する。まだ取得していない方向の電界強度は、負数の最小値とする。
【００５０】
図８は、アンテナ指向性の方向が変更した場合における電界強度管理テーブルついて説明するための図であり、図８（ａ）は、電界強度管理テーブルの一例を示す図であり、図８（ｂ）は、図８（ａ）に示す電界強度管理テーブルにおける電界強度を表す図である。なお、図８（ｂ）において、実線の矢印は指向性アンテナの向きを表し、破線の矢印は電界強度が最大となる向きを表す。
【００５１】
図８において、携帯型テレビ放送受信装置のアンテナ指向性の方向を北西から南西に変更した場合、電界強度管理テーブルは更新される。電界強度管理テーブル４１０は、更新後の電界強度管理テーブルを表している。この時、方向情報４０３の最大の電界強度が得られる方向が西から南西に書き替わり、方向情報４０３のアンテナ指向性の向きが北西から南西に書き替わり、電界強度４０２の南西の電界強度が５０［ｄＢ］から６５［ｄＢ］に書き替わっている。
【００５２】
ここで、電界強度管理テーブルの更新シーケンスについて説明する。図９は、電界強度管理テーブルを更新する更新シーケンスを示す図である。
【００５３】
まず、図９の期間８０１において、制御部４０で起動したタイマのタイムアウト通知により、電界強度管理テーブルを更新する場合について説明する。制御部４０が起動した監視タイマのタイムアウト時に制御部４０に対してタイムアウト通知が送信される。制御部４０はタイムアウト通知を受信すると、方向測定部６０及び電界強度測定部７０に対して情報取得要求を送信する。方向測定部６０及び電界強度測定部７０は、情報取得要求を受信すると、アンテナ指向性の方向の情報及び電界強度の情報を制御部４０へ送信する。制御部４０は、方向測定部６０及び電界強度測定部７０からアンテナ指向性の方向の情報と電界強度の情報とを取得して、記憶部３０の電界強度管理テーブルを更新する。そして、制御部４０は、次回の更新タイミングを作るために、監視タイマを起動する。
【００５４】
次に、図９の期間８０２において、方向測定部６０からの方向変化通知により、電界強度管理テーブルを更新する場合について説明する。制御部４０が監視タイマを起動し、タイムアウトが発生する前に方向測定部６０から方向変化通知が制御部４０に対して送信される。制御部４０は方向変化通知を受信すると、監視タイマを停止して、方向測定部６０及び電界強度測定部７０に対して情報取得要求を送信する。方向測定部６０及び電界強度測定部７０は、情報取得要求を受信すると、アンテナ指向性の方向の情報及び電界強度の情報を制御部４０へ送信する。制御部４０は、方向測定部６０及び電界強度測定部７０からアンテナ指向性の方向の情報及び電界強度の情報を取得して、記憶部３０の電界強度管理テーブルを更新する。そして、制御部４０は、次回の更新タイミングを作るために、監視タイマを起動する。
【００５５】
次に、図９の期間８０３において、電界強度測定部７０からの電界強度変化通知により、電界強度管理テーブルを更新する場合について説明する。制御部４０が監視タイマを起動し、タイムアウトが発生する前に電界強度測定部７０から電界強度変化通知が制御部４０に対して送信される。制御部４０は電界強度変化通知を受信すると、監視タイマを停止して、方向測定部６０及び電界強度測定部７０に対して情報取得要求を送信する。方向測定部６０及び電界強度測定部７０は、情報取得要求を受信すると、アンテナ指向性の方向の情報及び電界強度の情報を制御部４０へ送信する。制御部４０は、方向測定部６０及び電界強度測定部７０からアンテナ指向性の方向の情報及び電界強度の情報を取得して、記憶部３０の電界強度管理テーブルを更新する。そして、制御部４０は、次回の更新タイミングを作るために、監視タイマを起動する。
【００５６】
このように、指向性アンテナ１０の方向の変化が検出された場合に方向変化通知が出力され、電界強度値の変化が検出された場合に電界強度変化通知が出力される。そして、一定時間が経過する毎に、方向変化通知が入力された場合又は電界強度変化通知が入力された場合、方向測定と電界強度測定とが制御される。
【００５７】
したがって、一定時間が経過する毎に、指向性アンテナ１０の方向が変化した場合又は電界強度値が変化した場合、方向測定と電界強度測定とが制御されるので、常に最新の電界強度管理テーブルを記憶することができ、常に良好な受信品質を維持することができる。
【００５８】
図１０は、最大の電界強度が得られる方向にアンテナ指向性の方向が向くようにユーザを誘導する場合の映像の画角変更の表示例を示す図である。図１０において、円の中心にユーザが存在し、ユーザに対して真北の方向に放送アンテナ３０１が存在している。矢印３１０で示すアンテナ指向性の方向と、表示画面３２０の上部３２１とが一致している。また、矢印３４０は、電界強度が最大となる方向を示しており、図１０の例では北を向いている。斜線部分の領域３５０は電界強度を表している。そして、アンテナ指向性の方向が北、北東、東、南東、南、南西、西及び北西を向いたときに表示画面３２０に表示される映像３３０の上部３３１は、電界強度が最大となる北を向いている。最大の電界強度が得られる放送アンテナ３０１の方向に指向性アンテナの方向が向いた場合、表示画面３２０には回転角度０度の画角で映像３３０が表示される。
【００５９】
また、図１１は、所定の閾値以上の電界強度が得られる方向にアンテナ指向性の方向が向くようにユーザを誘導する場合の映像の画角変更の表示例を示す図である。図１１において、円の中心にユーザが存在し、ユーザに対して真北の方向に放送アンテナ３０１が存在している。矢印３１０で示すアンテナ指向性の方向と、表示画面３２０の上部３２１とが一致している。また、矢印３４０は、電界強度が最大となる方向を示しており、図１１の例では北を向いている。斜線部分の領域３５０は電界強度を表しており、一点鎖線３６０は電界強度の閾値を表している。図１１では、携帯型テレビ放送受信装置の指向性アンテナの向きが北を向いた場合、電界強度が最大となっている。しかしながら、所定の閾値以上の電界強度が得られる方向に対しては、映像の回転処理が行われない。そのため、北西及び南の方向に関しても、所定の閾値以上の電界強度であることから、正常な画角の映像３３０が表示される。所定の閾値が得られる方向以外の方向については、最大の電界強度の向きである北に表示映像３３０の上部を向けた状態で画角を変更して表示される。
【００６０】
このように、現在の指向性アンテナ１０の方向に対応する電界強度値が閾値以上であるか否かが判断され、電界強度値が閾値以上であると判断された場合、受信された映像が回転されずに表示される。したがって、電界強度値が良好な受信品質が得られる閾値以上である場合に、指向性アンテナの方向を変更しなくてもテレビ放送を視聴することができる。
【００６１】
また、制御部４０は、閾値以上の電界強度値が得られる方向を選択し、閾値以上の電界強度値が得られる方向が複数ある場合、現在の前記指向性アンテナからの回転角度が最小となる方向を複数の方向の中から選択してもよい。このように、閾値以上の電界強度値が得られる方向が選択され、閾値以上の電界強度値が得られる方向が複数ある場合、現在の指向性アンテナ１０からの回転角度が最小となる方向が複数の方向の中から選択されるので、指向性アンテナ１０の向きを迅速に変更することができる。例えば、図１１において、アンテナ１０が南西方向を向いている場合、制御部４０は、最も回転角度が小さい南方向を選択するので、ユーザは４５度程度アンテナ１０の向きを変えるだけでよい。
【００６２】
本発明に係る携帯型テレビ放送受信装置は、ＧＰＳ（Global Positioning System）を使わずにイベント会場などで歩行者を目的地まで案内するナビゲーションとしても使用することが可能である。そこで、歩行者を目的地まで案内するナビゲーションとして携帯型テレビ放送受信装置を使用する場合について、図１２を用いて説明する。図１２は、携帯型テレビ放送受信装置を用いて歩行者を目的地に誘導する例を示す図である。
【００６３】
携帯型テレビ放送受信装置は、歩行者５０１をスタート地点である現在地点５１１から目的地５１４まで誘導する。なお、目的地５１４には、放送アンテナ５２０があり、携帯型テレビ放送受信装置は、この放送アンテナ５２０から送信されるテレビ放送を受信する。
【００６４】
まず、本発明の携帯型テレビ放送受信装置を所持した歩行者５０１は、スタート地点の現在地点５１１で携帯型テレビ放送受信装置を１回転させることで指向性アンテナを１回転させ、電界強度管理テーブルを更新する。現在地点５１１における指向性アンテナの向きは矢印５０２に示す北向きとなっている。このとき、歩行者５０１の進行方向と指向性アンテナの向きとは同じであり、放送アンテナ５２０は、歩行者５０１の進行方向に対して左前方にある。これにより、現在地点５１１において、携帯型テレビ放送受信装置の表示画面５３０には、図１２に示す映像５４０が表示される。よって、歩行者５０１は道を北に向かって歩くことができる。
【００６５】
現在地点５１２に到達した歩行者５０１は、指向性アンテナを１回転させ、電界強度管理テーブルを更新する。現在地点５１２における指向性アンテナの向きは矢印５０３に示す西向きとなっている。このとき、歩行者５０１の進行方向と指向性アンテナの向きとは同じであり、放送アンテナ５２０は、歩行者５０１の進行方向に対して右前方向にある。これにより、現在地点５１２において、携帯型テレビ放送受信装置の表示画面５３１には、映像５４１が表示される。よって、歩行者５０１は道を西に向かって歩くことができる。
【００６６】
同様に、現在地点５１３に到達した歩行者５０１は、指向性アンテナを１回転させ、電界強度管理テーブルを更新する。現在地点５１３における指向性アンテナの向きは矢印５０４に示す西向きとなっている。このとき、歩行者５０１の進行方向と指向性アンテナの向きとは同じであり、放送アンテナ５２０は、歩行者５０１の進行方向に対して右方向にある。これにより、現在地点５１３において、携帯型テレビ放送受信装置の表示画面５３２には、映像５４２が表示される。よって、歩行者５０１は道を北に向かって歩くことができ、放送アンテナ５２０のある目的地５１４に到着する事が出来る。
【００６７】
なお、本実施の形態において、携帯型テレビ放送受信装置は１本の指向性アンテナを備えているが、本発明は特にこれに限定されず、複数本、例えば互いに直角をなす２本の指向性アンテナを備えてもよい。
【００６８】
（実施の形態２）
次に、本発明の実施の形態２に係る携帯型テレビ放送受信装置について説明する。実施の形態１において、記憶部３０の電界強度管理テーブルに保持する電界強度の情報と指向性アンテナの方向の情報とは、再取得を行い情報が書き換えられるまで電界強度管理テーブルに保持される。そのため、例えば使用者が移動した場合や電界強度が大幅に変化した場合は、間違った古い情報をユーザに表示してしまう可能性がある。そこで、実施の形態２では、実施の形態１の構成に時計及びＧＰＳを追加することで、無効になったと判断される情報を記憶部３０から破棄する。
【００６９】
図１３は、本発明の実施の形態２に係る携帯型テレビ放送受信装置の構成を示す図である。図１３に示す携帯型テレビ放送受信装置は、図１に示す実施の形態１の構成に加えて、時計９０及びＧＰＳ１００を備えて構成される。時計９０は、現在時刻を年月日、時分秒の形で測定する。ＧＰＳ１００は、現在位置情報を緯度、経度の形で測定する。なお、本実施の形態において、時計９０が時計部の一例に相当し、ＧＰＳ１００が測位部の一例に相当する。
【００７０】
本実施の形態における処理の流れは、図２に示す実施の形態１のフローチャートと同様であるが、ステップＳ２における測定処理と、ステップＳ３における記憶部更新処理とに違いがある。以下の説明では、実施の形態１と異なる処理について説明する。
【００７１】
図１４は、実施の形態２における測定処理を説明するためのフローチャートである。まず、測定処理において、制御部４０は、方向測定部６０からアンテナ指向性の方向を取得する（ステップＳ６１）。次に、制御部４０は、電界強度測定部７０から電界強度を取得する（ステップＳ６２）。次に、制御部４０は、時計９０から現在時刻を取得する（ステップＳ６３）。次に、制御部４０は、ＧＰＳ１００から現在位置情報を取得する（ステップＳ６４）。
【００７２】
ここで、記憶部更新処理において更新される記憶部３０の電界強度管理テーブルについて説明する。図１５は、実施の形態２における電界強度管理テーブルの一例を示す図である。
【００７３】
本実施の形態２では、実施の形態１の構成に時計９０及びＧＰＳ１００を追加している。そのため、実施の形態２の電界強度管理テーブル４２０には、図４に示す実施の形態１の電界強度管理テーブル４００に、時刻情報４０５と位置情報４０６とが追加されている。
【００７４】
時刻情報４０５は、時計９０から取得する年月日時分秒の情報であり、後述する記憶部更新処理において閾値以上に時間が経過した場合に情報を破棄するために使用する。閾値は記憶部３０に記憶されており、記憶部３０に記憶している値を変更することで閾値を変更することができる。
【００７５】
位置情報４０６は、ＧＰＳ１００から取得する緯度・経度（度分秒、秒小数点）の情報であり、後述する記憶部更新処理において緯度・経度の情報から移動距離を算出して、携帯型テレビ放送受信装置が閾値以上の距離を移動した場合に情報を記憶部３０から破棄するために使用する。閾値は記憶部３０に記憶されており、記憶部３０の値を変更することで閾値を変更することができる。
【００７６】
実装組み合わせパターンとしては、実施の形態１の構成に、時計９０のみを追加する構成、ＧＰＳ１００のみを追加する構成、及び時計９０とＧＰＳ１００とを追加する構成の３パターンが可能である。
【００７７】
続いて、実施の形態２における記憶部更新処理について説明する。図１６は、本実施の形態２における記憶部更新処理を説明するためのフローチャートである。なお、以下の説明では、実施の形態１における記憶部更新処理と、実施の形態２における記憶部更新処理の差分についてのみ説明する。
【００７８】
実施の形態１では、方向測定部６０と電界強度測定部７０とから取得する情報を用いて電界強度管理テーブルの更新が行われる。そのため、現在のアンテナ指向性の方向についてのみ電界強度管理テーブルの更新が行われる。
【００７９】
一方、実施の形態２では、過去に取得した古い情報を破棄するために、電界強度管理テーブルに保持している時刻情報４０５と位置情報４０６とを使用して、電界強度４０２を取得してからの経過時間及び移動距離と記憶部３０に保持する閾値とを比較することで、現在のアンテナ指向性の方向以外の方向についても電界強度４０２の有効無効判定が行われる。そのため、電界強度管理テーブルに保持している全ての方向について更新が行われる。なお、以降の説明において、現在更新処理を行っている電界強度管理テーブルの方向を現更新処理方向と略す。
【００８０】
以下、図１６のフローチャートに沿って説明する。なお、図１６のステップＳ７１の処理は、図５のステップＳ３１の処理と同じであるので説明を省略する。制御部４０は、現在のアンテナ指向性の方向と現更新処理方向とが一致するか否かを判定する（ステップＳ７２）。なお、制御部４０は、東、西、南、北、北東、南東、南西及び北西の全ての方向について順に更新する。
【００８１】
ここで、現在のアンテナ指向性の方向と現更新処理方向とが一致すると判断された場合（ステップＳ７２でＹＥＳ）、制御部４０は、ステップＳ７３からステップＳ８１までの処理を実行する。なお、ステップＳ７３からステップＳ８１までの処理は、図５の実施の形態１のステップＳ３２からステップＳ４０までの処理と同じであるので、説明を省略する。
【００８２】
一方、現在のアンテナ指向性の方向と現更新処理方向とが一致しないと判断された場合（ステップＳ７２でＮＯ）、制御部４０は、電界強度管理テーブルの現更新処理方向の電界強度４０２の値が無効であるか否かを判定する（ステップＳ８２）。本実施の形態では、無効値を負数の最小値としているので、制御部４０は、電界強度４０２の値が負数の最小値であるか否かを判定する。
【００８３】
電界強度４０２の値が負数の最小値であると判断された場合（ステップＳ８２でＹＥＳ）、現更新処理方向の電界強度４０２は既に無効であるので、制御部４０は、現更新処理方向の時刻情報と位置情報とを更新し、現更新処理方向の更新処理を終了する（ステップＳ８７）。
【００８４】
一方、電界強度４０２が負数の最小値でないと判断された場合（ステップＳ８２でＮＯ）、制御部４０は、現更新処理方向の電界強度４０２を取得してからの経過時間と移動距離とを算出する（ステップＳ８３）。
【００８５】
ここで、経過時間と移動距離との算出方法について以下に説明する。まず、制御部４０は、電界強度管理テーブルの現更新処理方向に対応する時刻情報４０５を記憶部３０から読み出す。そして、制御部４０は、読み出した時刻情報４０５と、時計９０から取得した現在時刻との時間の差分を経過時間として算出する。また、制御部４０は、電界強度管理テーブルの現更新処理方向の位置情報４０６を記憶部３０から読み出す。そして、制御部４０は、読み出した位置情報４０６とＧＰＳ１００から取得した現在位置の緯度経度との差分を移動距離として算出する。
【００８６】
次に、制御部４０は、算出した経過時間及び移動距離と記憶部３０に保持している閾値とを比較し、経過時間又は移動距離が閾値以上であるか否かを判断する（ステップＳ８４）。なお、本実施の形態では、経過時間又は移動距離が閾値以上であるか否かを判断しているが、本発明は特にこれに限定されず、経過時間及び移動距離が閾値以上であるか否かを判断してもよい。
【００８７】
経過時間又は移動距離が閾値以上であると判断された場合（ステップＳ８４でＹＥＳ）、制御部４０は、現更新処理方向の電界強度４０２が無効であると判定し、電界強度管理テーブルの現更新処理方向の電界強度４０２に負数の最小値を設定する（ステップＳ８５）。次に、制御部４０は、電界強度管理テーブルの画角更新フラグ４０４を「更新必要」に設定する（ステップＳ８６）。電界強度管理テーブルの画角更新フラグ４０４を「更新必要」に設定した後、制御部４０は、現更新処理方向の時刻情報と位置情報とを更新し、現更新処理方向の更新処理を終了する（ステップＳ８７）。
【００８８】
一方、経過時間又は移動距離が閾値未満であると判断された場合（ステップＳ８４でＮＯ）、制御部４０は、現更新処理方向の電界強度４０２が有効であると判定し、現更新処理方向の時刻情報と位置情報とを更新し、現更新処理方向の更新処理を終了する（ステップＳ８７）。
【００８９】
更新処理が終了した後、制御部４０は、電界強度管理テーブルの全方向の更新処理が終了したか否かを判断する（ステップＳ８８）。ここで、全方向の更新処理が完了していないと判断された場合（ステップＳ８８でＮＯ）、制御部４０は次方向の更新処理を行うため、ステップＳ７２の処理に戻り、ステップＳ７２以降の処理を行う。
【００９０】
一方、全方向の更新処理が完了したと判断された場合（ステップＳ８８でＹＥＳ）、電界強度管理テーブルの全ての方向について更新処理が終了したことになり、制御部４０は記憶部更新処理を終了する。
【００９１】
ここで、本実施の形態において、無効と判定された情報を破棄する流れについて説明する。図１７は、本実施の形態２における情報を破棄する処理について説明するための図である。また、図１８は、図１７の各ポイントにおける電界強度を示す図であり、図１８（ａ）は、図１７のポイントＡにおける電界強度を示す図であり、図１８（ｂ）は、図１７のポイントＢにおける電界強度を示す図であり、図１８（ｃ）は、図１７のポイントＣにおける電界強度を示す図であり、図１８（ｄ）は、図１７のポイントＤにおける電界強度を示す図である。なお、図１８において、実線の矢印はアンテナ指向性の方向を表し、破線の矢印は電界強度が最大となる方向を表し、ハッチングされた領域は実際の電界強度を表し、斜線の領域は携帯型テレビ放送受信装置が保持している電界強度を表している。
【００９２】
ここでは、携帯型テレビ放送受信装置を所持するユーザが各ポイントＡ，Ｂ，Ｃ，Ｄを通過して目的地へ移動する場合について説明する。ポイントＡにおいて、携帯型テレビ放送受信装置を所持するユーザは東に向かって移動している。このとき、携帯型テレビ放送受信装置は北東・東・南東の電界強度情報を保持している。ポイントＢにおいて、ユーザは北に向かって移動している。このとき、携帯型テレビ放送受信装置は北西・北・北東・東・南東の電界強度情報を保持している。
【００９３】
ポイントＣにおいて、ユーザは北に向かって移動している。このとき、ポイントＢより閾値以上の時間が経過し、携帯型テレビ放送受信装置が閾値以上の距離を移動した状態となっている。そのため、ポイントＡで携帯型テレビ放送受信装置に保持していた東・南東の電界強度情報は無効であると判断され、携帯型テレビ放送受信装置から既に破棄されている。
【００９４】
ポイントＤにおいて、ユーザは西に向かって移動している。このとき、ポイントＣより閾値以上の時間が経過し、携帯型テレビ放送受信装置が閾値以上の距離を移動した状態となっている。そのため、ポイントＣで携帯型テレビ放送受信装置に保持していた北・北東の電界強度情報は無効であると判断され、携帯型テレビ放送受信装置から既に破棄されている。
【００９５】
上記手順で、携帯型テレビ放送受信装置を所持するユーザが移動する場合に、携帯型テレビ放送受信装置の記憶部３０にて管理する電界強度管理テーブルの情報のうち、無効であると判断できる情報を破棄することが出来る。これにより、携帯型テレビ放送受信装置を所持するユーザに対して間違った古い情報を表示することを防ぐことが出来る。
【００９６】
すなわち、電界強度管理テーブルに含まれる電界強度値を取得した時刻から閾値以上の時間が経過した場合、電界強度値が破棄されるので、古い電界強度管理テーブルに基づいて映像が表示されることを防止することができる。
【００９７】
また、電界強度管理テーブルに含まれる電界強度値を取得した位置から閾値以上の距離を携帯型テレビ放送受信装置が移動した場合、電界強度値が破棄されるので、古い電界強度管理テーブルに基づいて映像が表示されることを防止することができる。
【００９８】
（実施の形態３）
次に、本発明の実施の形態３に係る携帯型テレビ放送受信装置について説明する。本実施の形態では、電界強度が最大となる方向を決定するにあたり、図１の実施の形態１の電界強度測定部７０を用いずに、テレビ放送受信部２０のデコーダ部が測定するビット誤り率によって、電界強度が最大となる方向を選択する。図１９は、本発明の実施の形態３に係る携帯型テレビ放送受信装置の構成を示す図である。
【００９９】
図１９に示す携帯型テレビ放送受信装置は、テレビ放送受信部２０、記憶部３０、制御部４０、表示部５０、方向測定部６０及び映像回転処理部８０を備える。なお、図１９において、図１に示す実施の形態１と同じ構成については同一の符号を付し、説明を省略する。テレビ放送受信部２０は、デコーダ部２１を備える。デコーダ部２１は、指向性アンテナ１０により受信した電波をデコードする。このとき、デコーダ部２１はビット誤り率を測定する。本実施の形態において、制御部４０は、デコーダ部２１によって測定されたビット誤り率が最小となる方向を電界強度が最大であると判定する。なお、本実施の形態において、デコーダ部２１がビット誤り率測定部の一例に相当する。
【０１００】
このように、指向性アンテナ１０により放送波が受信される。記憶部３０には、指向性アンテナ１０の方向と、指向性アンテナ１０が受信した放送波のビット誤り率とを含む測定情報が記憶されている。指向性アンテナ１０の方向測定とビット誤り率測定とが制御され、記憶部３０に記憶する測定情報が更新され、最小のビット誤り率が得られる方向が選択される。そして、受信された映像の上部が、選択された最小のビット誤り率が得られる方向を向くように映像が回転され、回転された映像が表示される。
【０１０１】
したがって、表示される映像の上部が、最小のビット誤り率が得られる方向と一致するので、指向性アンテナの向きを映像の上部の方向へ誘導し、テレビ視聴に充分な電界強度が得られる方向に、指向性アンテナの向きを容易に変更することができる。
【０１０２】
なお、本実施の形態では、制御部４０は、デコーダ部２１によって測定されたビット誤り率が最小となる方向を選択しているが、本発明は特にこれに限定されず、閾値以下のビット誤り率が得られる方向を選択してもよい。
【０１０３】
（実施の形態４）
次に、本発明の実施の形態４に係る携帯型テレビ放送受信装置について説明する。実施の形態４における携帯型テレビ放送受信装置は、表示画面と指向性アンテナとが互いに独立して構成され、表示画面が指向性アンテナに対して回転可能に構成されている。
【０１０４】
図２０は、本発明の実施の形態４に係る携帯型テレビ放送受信装置の外観を示す図であり、図２０（ａ）は、指向性アンテナが本体と一体に構成された携帯型テレビ放送受信装置の外観を示す図であり、図２０（ｂ）は、指向性アンテナが本体に対して回転可能に構成された携帯型テレビ放送受信装置の外観を示す図であり、図２０（ｃ）は、指向性アンテナが本体に対して回転可能に構成された別の携帯型テレビ放送受信装置の外観を示す図であり、図２０（ｄ）は、指向性アンテナが本体に対して回転可能に構成されたさらに別の携帯型テレビ放送受信装置の外観を示す図である。
【０１０５】
図２０（ａ）に示す携帯型テレビ放送受信装置１は、指向性アンテナ１０が携帯型テレビ放送受信装置の本体１１０と一体に取り付けられており、表示画面１２０が本体１１０に対して回転可能に取り付けられている。
【０１０６】
図２１は、図２０（ａ）に示す携帯型テレビ放送受信装置の構成を示す図である。図２１において、携帯型テレビ放送受信装置は、図１に示す実施の形態１の構成に加えて、表示画面回転角度測定部１０１を備えて構成される。
【０１０７】
表示画面回転角度測定部１０１は、アンテナ指向性の方向に対する表示画面の回転角度を測定する。なお、表示画面の回転角度は、指向性アンテナ１０に対して表示画面を反時計回りに回転させたときの角度を正の回転角度とする。
【０１０８】
制御部４０は、電界強度が最大となる方向の角度からアンテナ指向性の方向の角度と表示画面の回転角度とを減算することにより、映像回転角度を算出する。また、制御部４０は、電界強度が最大となる方向とアンテナ指向性の方向とが一致する場合、映像を回転させない。
【０１０９】
図２２は、図２０（ａ）に示す携帯型テレビ放送受信装置において、最大の電界強度が得られる方向にアンテナ指向性の方向が向くようにユーザを誘導する場合の映像の画角変更の表示例を示す図である。図２２において、円の中心にユーザが存在し、ユーザに対して真北の方向に放送アンテナが存在している。破線の矢印は、ユーザの視線方向を表している。白抜きの矢印は、アンテナ指向性の方向を示している。実線の矢印は、電界強度が最大となる方向を示しており、図２２の例では北を向いている。斜線部分の領域は電界強度を表している。
【０１１０】
図２２に示すように、電界強度が最大となる方向とアンテナ指向性の方向とが一致しない場合、表示画面に表示される映像の上部が、電界強度が最大となる方向を向いて表示される。ここで、ユーザは、本体を回転させることにより、指向性アンテナ１０を回転させ、表示画面に表示される映像の上部の方向に、アンテナ指向性の方向を向ける。これにより、電界強度が最大となる方向とアンテナ指向性の方向とが一致し、映像が回転されない、正常な映像が表示される。
【０１１１】
例えば、図２２の状態６００は、ユーザの視線、アンテナ指向性の方向、及び表示画面の上部が北西の方向を向いている。この場合、電界強度が最大となる方向は北方向であるので、映像の上部は、北方向を向いて表示される。なお、状態６００における電界強度が最大となる方向の角度は０度であり、アンテナ指向性の方向の角度は４５度であり、表示画面の回転角度は０度であり、映像回転角度は−４５度である。
【０１１２】
次に、ユーザは、表示画面の位置を固定した状態で、指向性アンテナ１０を映像の上部が指し示す方向へ回転させる。状態６０１において、電界強度が最大となる方向の角度は０度であり、アンテナ指向性の方向の角度は３０度であり、表示画面の回転角度は１５度であり、映像回転角度は−４５度である。
【０１１３】
そして、状態６０１から指向性アンテナ１０をさらに回転させることにより、電界強度が最大となる方向とアンテナ指向性の方向とが一致した状態６０２となる。状態６０２において、電界強度が最大となる方向の角度は０度であり、アンテナ指向性の方向の角度は０度であり、表示画面の回転角度は４５度であり、映像回転角度は０度である。状態６０２では、ユーザの視線及び表示画面の上部が北西の方向を向いており、アンテナ指向性の方向が北の方向を向いている。この場合、電界強度が最大となる方向とアンテナ指向性の方向とが一致しているので、表示画面の上部の方向と映像の上部の方向とが一致して表示される。
【０１１４】
また、図２０（ｂ）〜（ｄ）に示す携帯型テレビ放送受信装置１は、表示画面１２０が携帯型テレビ放送受信装置の本体１１０と一体に取り付けられており、指向性アンテナ１０が本体１１０に対して回転可能に取り付けられている。なお、図２０（ｂ）では、表示画面１２０が携帯型テレビ放送受信装置の本体１１０と一体に取り付けられており、棒状の指向性アンテナ１０の端部が本体１１０に対して回転可能に接続されている。また、図２０（ｃ）では、表示画面１２０が携帯型テレビ放送受信装置の本体１１０と一体に取り付けられており、棒状の指向性アンテナ１０の中間部分が本体１１０に対して回転可能に接続されている。さらに、図２０（ｄ）では、表示画面１２０が携帯型テレビ放送受信装置の本体１１０と一体に取り付けられており、平面状の指向性アンテナ１０の一辺が本体１１０に対して回転可能に接続されている。
【０１１５】
図２３は、図２０（ｂ）〜（ｄ）に示す携帯型テレビ放送受信装置の構成を示す図である。図２３において、携帯型テレビ放送受信装置は、図１に示す実施の形態１の構成に加えて、アンテナ回転角度測定部１０２を備えて構成される。
【０１１６】
アンテナ回転角度測定部１０２は、表示画面１２０に対する指向性アンテナ１０の回転角度を測定する。なお、指向性アンテナ１０の回転角度は、表示画面１２０の上部に垂直な方向に対して指向性アンテナ１０を反時計回りに回転させたときの角度を正の回転角度とする。
【０１１７】
制御部４０は、電界強度が最大となる方向の角度からアンテナ指向性の方向の角度と指向性アンテナ１０の回転角度とを減算することにより、映像回転角度を算出する。また、制御部４０は、電界強度が最大となる方向とアンテナ指向性の方向とが一致する場合、映像を回転させない。
【０１１８】
図２４は、図２０（ｂ）に示す携帯型テレビ放送受信装置において、最大の電界強度が得られる方向にアンテナ指向性の方向が向くようにユーザを誘導する場合の映像の画角変更の表示例を示す図である。図２４において、円の中心にユーザが存在し、ユーザに対して真北の方向に放送アンテナが存在している。破線の矢印は、ユーザの視線方向を表している。白抜きの矢印は、アンテナ指向性の方向を示している。実線の矢印は、電界強度が最大となる方向を示しており、図２４の例では北を向いている。斜線部分の領域は電界強度を表している。破線の楕円は、指向性アンテナ１０の回転水平面を表している。
【０１１９】
図２４に示すように、電界強度が最大となる方向とアンテナ指向性の方向とが一致しない場合、表示画面に表示される映像の上部が、電界強度が最大となる方向を向いて表示される。ここで、ユーザは、指向性アンテナ１０を回転させ、表示画面に表示される映像の上部の方向にアンテナ指向性の方向を向ける。これにより、電界強度が最大となる方向とアンテナ指向性の方向とが一致し、映像が回転されない、正常な映像が表示される。
【０１２０】
なお、上記の各実施の形態１〜４では、表示画面上に映像を表示している。デジタル放送を受信する場合、電界強度が不充分であれば、映像は表示されない。そのため、表示画面上に映像のみを表示した場合、電界強度が不充分であると、表示画面上には何も表示されず、電界強度が最大となる方向を知ることができなくなる。そこで、上記の各実施の形態１〜４では、表示画面上に表示枠を表示し、表示枠内に映像を表示してもよい。図２５は、表示画面上に表示枠を表示する場合の表示画面の一例を示す図である。
【０１２１】
図２５において、表示画面２０１には、表示枠２４０が表示される。この表示枠２４０内に映像が表示される。また、表示枠２４０は、映像とともに回転し、表示枠２４０の上部２４１には、放送局名とチャンネル番号とが表示される。矢印２３０は、電界強度が最大となる方向を示しており、表示枠２４０は、その上辺が最大の電界強度が得られる方向と垂直になるように回転される。このように、表示画面上に表示枠を表示し、表示枠の上部を電界強度が最大となる方向に向くように表示することにより、電界強度が不充分で映像が表示されない場合であっても、ユーザは電界強度が最大となる方向を知ることができる。
【０１２２】
また、テレビ放送受信部２０は、受信した放送波をデコードするデコード処理を行っているが、制御部４０によって電界強度値が閾値未満であると判断された場合、このデコード処理の少なくとも一部を省略してもよい。この場合、表示部５０は、テレビ放送受信部２０によって受信された映像を表示せずに表示枠のみを表示する。なお、デコード処理は、例えばＭＰＥＧ形式のトランスポート・ストリームから目的の番組の映像ストリーム及び音声ストリームを抽出する処理と、映像ストリーム及び音声ストリームをデコードして映像データ及び音声データを抽出する処理などが含まれる。このうち、テレビ放送受信部２０は、映像ストリーム及び音声ストリームを抽出する処理を行い、映像データ及び音声データを抽出する処理を省略する。また、テレビ放送受信部２０は、デコード処理の全てを省略してもよい。
【０１２３】
このように、電界強度値が閾値未満であると判断された場合、デコード処理の少なくとも一部が省略され、受信された映像を表示せずに表示枠のみが表示されるので、消費電力を削減することができる。
【０１２４】
なお、図２５では、表示画面２４０を四角形状としているが、本発明は特にこれに限定されず、円形状であってもよい。図２６は、円形状の表示画面上に表示枠を表示する場合の表示画面の一例を示す図である。図２６に示すように、表示画面２０１が円形状であっても、表示画面上に表示枠を表示し、表示枠の上部を電界強度が最大となる方向に向くように表示する。これにより、電界強度が不充分で映像が表示されない場合であっても、ユーザは電界強度が最大となる方向を知ることができる。なお、本実施の形態における円形状は楕円形状も含む。
【０１２５】
（実施の形態５）
次に、本発明の実施の形態５に係るテレビ放送受信システムについて説明する。図２７は、実施の形態５に係るテレビ放送受信システムの構成を示す図である。図２７に示すテレビ放送受信システムは、携帯型テレビ放送受信装置１、サーバ２及びデータベース３を備えて構成される。携帯型テレビ放送受信装置１とサーバ２とは、ネットワーク４を介して互いに通信可能に接続されている。
【０１２６】
図２８は、本発明の実施の形態５に係る携帯型テレビ放送受信装置の構成を示す図である。図２８に示す携帯型テレビ放送受信装置は、図１に示す実施の形態１の構成に加えて、ＧＰＳ１００及び通信処理部１０３を備えて構成される。ＧＰＳ１００は、現在位置情報を緯度、経度の形で測定する。通信処理部１０３は、サーバ２へデータを送信するとともに、サーバ２からデータを受信する。
【０１２７】
制御部４０は、ＧＰＳ１００によって測定された現在位置情報を取得し、取得した現在位置情報を通信処理部１０３へ出力する。通信処理部１０３は、ネットワーク４を介して現在位置情報をサーバ２へ送信する。
【０１２８】
データベース３は、所定の場所における経度及び緯度と、所定の場所における方角毎の電界強度値とを対応付けた電界強度情報を記憶する。サーバ２は、携帯型テレビ放送受信装置１から現在位置情報を受信し、受信した現在位置情報に含まれる緯度及び経度に最も近い場所の電界強度情報をデータベース３から取得して携帯型テレビ放送受信装置１へ送信する。
【０１２９】
通信処理部１０３は、サーバ２から電界強度情報を受信し、制御部４０へ出力する。制御部４０は、受信した電界強度情報を初期値として電界強度管理テーブルに設定する。なお、本実施の形態において、通信処理部１０３が通信部の一例に相当する。
【０１３０】
図２９は、サーバから電界強度情報を取得して電界強度管理テーブルを設定する処理について説明するための図であり、図２９（ａ）は、電界強度情報を取得する位置について説明するための図であり、図２９（ｂ）は、電界強度情報の一例を示す図である。図２９（ｂ）において、円の中心にユーザが存在し、ユーザに対して真北の方向に放送アンテナが存在している。破線の矢印は、ユーザの視線方向を表している。白抜きの矢印は、アンテナ指向性の方向を示している。実線の矢印は、電界強度が最大となる方向を示しており、図２９（ｂ）の例では北を向いている。斜線部分の領域は電界強度を表している。
【０１３１】
図２９（ａ）に示すように、データベース３は、複数の場所７０１，７０２，７０３，７０４の緯度及び経度と、各場所７０１，７０２，７０３，７０４における各方角の電界強度値とを対応付けた電界強度情報を予め記憶している。
【０１３２】
例えば、図２９（ａ）に示す現在位置７１０において、視聴が開始された場合、携帯型テレビ放送受信装置１は、現在位置７１０における現在位置情報を取得する。そして、携帯型テレビ放送受信装置１は、ネットワーク４を介して現在位置情報をサーバ２へ送信する。サーバ２は、受信した現在位置情報に最も近い場所７０１に対応する電界強度情報をデータベース３から取得して携帯型テレビ放送受信装置１へ送信する。携帯型テレビ放送受信装置１は、サーバ２から電界強度情報を受信し、受信した電界強度情報を初期値として電界強度管理テーブルに設定する。このとき、携帯型テレビ放送受信装置１は、図２９（ｂ）に示す電界強度情報を取得する。なお、電界強度管理テーブルを設定した後の処理は実施の形態１と同じであるので説明を省略する。
【０１３３】
このように、現在位置が測定され、測定された現在位置情報がサーバ２へ送信される。そして、現在位置における電界強度値がサーバ２から受信され、受信された電界強度値が初期値として記憶部に設定される。したがって、指向性アンテナ１０の向きを変えて電界強度値を測定せずに、現在地における電界強度値を取得することができるので、ユーザの手間を省くことができ、指向性アンテナ１０の向きを迅速に誘導することができる。
【０１３４】
次に、実施の形態５の変形例について説明する。実施の形態５の変形例では、現在位置周辺の電界強度情報をサーバから取得し、より充分な電界強度が得られる地点までユーザを誘導する。なお、実施の形態５の変形例における携帯型テレビ放送受信装置の構成は図２７及び図２８に示す構成と同じであるので説明を省略する。
【０１３５】
図３０は、より充分な電界強度が得られる地点までユーザを誘導する実施の形態５の変形例について説明するための図である。まず、現在地点８１１において、制御部４０は、ＧＰＳ１００から現在位置情報を取得して通信処理部１０３へ出力する。次に、通信処理部１０３は、ネットワーク４を介して現在位置情報をサーバ２へ送信する。サーバ２は、受信した現在位置情報に基づいて、現在位置から所定の範囲内にある最も強い電界強度が得られる案内地点の電界強度情報をデータベース３から取得する。なお、所定の範囲とは、現在位置を中心として所定の半径を有する円内である。図３０では、現在位置８１１から所定の範囲内にある案内地点８１２における電界強度情報が取得される。
【０１３６】
次に、サーバ２は、取得した電界強度情報を携帯型テレビ放送受信装置１へ送信する。通信処理部１０３は、サーバ２によって送信された電界強度情報を受信して制御部４０へ出力する。制御部４０は、サーバ２から受信した電界強度情報とＧＰＳ１００から取得した現在位置情報とに基づいて、現在位置８１１を起点とした案内地点８１２の方向及び案内地点８１２までの距離を求める。
【０１３７】
次に、制御部４０は、アンテナ指向性の向きをユーザ８０１の進行方向とし、案内地点８１２の方向を電界強度が最大となる方向とし、表示画面上の映像を回転させる。これにより、表示画面の上部がユーザ８０１の進行方向を表し、表示画面上の映像の上部が案内地点８１２の方向を表すこととなる。なお、図３０では、案内地点８１２は現在位置８１１に対して北方向にあり、指向性アンテナの向きは矢印８０２で示す北方向であるので、映像は回転されずに表示される。
【０１３８】
次に、制御部４０は、現在位置８１１から案内地点８１２までの距離を表示する。そして、携帯型テレビ放送受信装置１が案内地点８１２に到着した後、制御部４０は、案内地点８１２へユーザ８０１を誘導する処理を終了する。次に、制御部４０は、受信した電界強度情報を電界強度管理テーブルに設定する。制御部４０は、設定された電界強度管理テーブルに基づいて、電界強度が最大となる方向に映像の上部が向くように映像を回転させる。なお、この後の処理は実施の形態１と同じであるので説明を省略する。
【０１３９】
同様にして、案内地点８１２を現在位置として、案内地点８１３へユーザ８０１を誘導する処理が行われる。なお、現在位置から所定の範囲内に最も強い電界強度が得られる案内地点がない場合、範囲をさらに広げて案内地点を検索してもよい。さらに、所定の範囲内に複数の案内地点が存在する場合、最も強い電界強度が得られる案内地点が選択される。さらにまた、現在位置が案内位置よりも強い電界強度を得られる場合、ユーザ８０１を誘導する処理を終了してもよい。なお、所定の範囲内に複数の案内地点が存在する場合、現在位置から最も近い場所の案内地点を選択してもよい。
【０１４０】
このように、現在位置が測定され、測定された現在位置情報がサーバ２へ送信される。また、現在位置の周辺の所定の位置における電界強度値と所定の位置の位置情報とがサーバ２から受信される。そして、受信された映像の上部が、受信された所定の位置の方向を向くように映像が回転され、携帯型テレビ放送受信装置１が所定の位置に到着した場合、受信された電界強度値が記憶部３０に設定される。
【０１４１】
したがって、携帯型テレビ放送受信装置１を所持するユーザを、電界強度値が充分に得られる位置まで誘導することができる。さらに、電界強度値が充分に得られる位置に到着した場合、電界強度値が自動的に設定されるので、電界強度値を測定する手間を省くことができる。
【０１４２】
なお、実施の形態５の変形例において、制御部４０は、サーバ２から取得した電界強度情報を表示画面に表示してもよい。図３１は、表示画面に表示される電界強度情報の一例を示す図である。図３１に示す例では、現在位置から所定の範囲内にある複数の電界強度情報が取得されている。各電界強度情報は、案内地点の経度及び緯度と、案内地点における各方位の電界強度とで構成される。さらに、記憶部３０に地図情報を予め記憶しておき、制御部４０は、記憶部３０から地図情報を読み出して、案内位置を示す地図情報を映像として表示してもよい。
【０１４３】
（実施の形態６）
次に、本発明の実施の形態６に係る携帯型テレビ放送受信装置について説明する。図３２は、本発明の実施の形態６に係る携帯型テレビ放送受信装置の構成を示す図である。図３２に示す携帯型テレビ放送受信装置は、図１に示す実施の形態１の構成に加えて、入力部１０４を備えて構成される。
【０１４４】
入力部１０４は、表示部５０に映像が表示されているときに、ユーザによる電界強度値の登録指示を受け付ける。制御部４０は、入力部１０４によって登録指示が受け付けられたときの指向性アンテナ１０の方向に対応する電界強度値を閾値として記憶部３０に登録する。なお、本実施の形態において、入力部１０４が電界強度登録受付部の一例に相当し、制御部４０が電界強度登録部の一例に相当する。また、この閾値を用いた動作についての説明は、図１１を用いて既に説明しているので省略する。
【０１４５】
このように、映像が表示されているときに、ユーザによる電界強度値の登録指示が受け付けられ、登録指示が受け付けられたときの指向性アンテナ１０の方向に対応する電界強度値が閾値として記憶部３０に登録される。したがって、ユーザ毎に視聴可能な電界強度の閾値を設定することができ、各ユーザが満足する映像を表示することができる。
【０１４６】
なお、本実施の形態では、ユーザによる電界強度値の登録指示を受け付け、登録指示が受け付けられたときの指向性アンテナ１０の方向に対応する電界強度値を閾値として記憶部３０に登録しているが、本発明は特にこれに限定されない。すなわち、入力部１０４は、表示部５０に映像が表示されているときに、ユーザによる指向性アンテナ１０の方向の登録指示を受け付け、制御部４０は、入力部１０４によって登録指示が受け付けられたときの指向性アンテナ１０の方向を記憶部３０に登録し、映像回転処理部８０は、テレビ放送受信部２０によって受信された映像の上部が、記憶部３０に登録されている方向を向くように映像を回転させてもよい。なお、この場合、入力部１０４が方向登録受付部の一例に相当し、制御部４０が方向登録部の一例に相当する。
【０１４７】
この場合、映像が表示されているときに、ユーザによる指向性アンテナ１０の方向の登録指示が受け付けられ、登録指示が受け付けられたときの指向性アンテナ１０の方向が記憶部３０に登録され、受信された映像の上部が、記憶部３０に登録されている方向を向くように映像が回転される。したがって、指向性アンテナ１０の方向が記憶部３０に登録された後は、電界強度値を測定することなく、映像の上部が、記憶部３０に登録されている方向を向くように映像を回転させることができ、より迅速に指向性アンテナ１０の向きを誘導することができる。
【０１４８】
（実施の形態７）
次に、本発明の実施の形態７に係る携帯型テレビ放送受信装置について説明する。図３３は、本発明の実施の形態７に係る携帯型テレビ放送受信装置の構成を示す図である。図３３に示す携帯型テレビ放送受信装置は、図１に示す実施の形態１の構成に加えて、アンテナ駆動部１０５を備えて構成される。
【０１４９】
制御部４０は、最大の電界強度値が得られる方向と、現在の指向性アンテナ１０の方向との角度を算出する。アンテナ駆動部１０５は、制御部４０によって算出された角度分だけ指向性アンテナ１０を移動させる。なお、本実施の形態において、制御部４０及びアンテナ駆動部１０５がアンテナ移動部の一例に相当する。また、本実施の形態における動作は、指向性アンテナ１０を自動的に移動させること以外は実施の形態１における動作と同じであるので説明を省略する。
【０１５０】
このように、最大の電界強度値が得られる方向と、現在の指向性アンテナ１０の方向との角度が算出され、算出された角度分だけ指向性アンテナ１０が自動的に移動されるので、ユーザが指向性アンテナ１０の向きを変更する手間を省くことができる。
【０１５１】
なお、上述した具体的実施形態には以下の構成を有する発明が主に含まれている。
【０１５２】
本発明の一局面に係る携帯型テレビ放送受信装置は、指向性アンテナにより放送波を受信する放送受信部と、前記指向性アンテナの方向を測定する方向測定部と、前記指向性アンテナが受信した放送波の品質に関する情報を測定する品質測定部と、前記方向測定部によって測定された方向と、前記品質測定部によって測定された品質に関する情報とを含む測定情報を記憶する記憶部と、前記方向測定部による方向の測定と前記品質測定部による品質に関する情報の測定とを制御し、前記記憶部に記憶する前記測定情報を更新し、最良の品質が得られる方向を選択する制御部と、前記放送受信部によって受信された映像の上部が、前記制御部によって選択された最良の品質が得られる方向を向くように前記映像を回転させる映像回転部と、前記映像回転部によって回転された映像を表示する表示部とを備える。
【０１５３】
本発明の他の局面に係るテレビ放送受信方法は、指向性アンテナにより放送波を受信する放送受信ステップと、前記指向性アンテナの方向を測定する方向測定ステップと、前記指向性アンテナが受信した放送波の品質に関する情報を測定する品質測定ステップと、前記方向測定ステップにおいて測定された方向と、前記品質測定ステップにおいて測定された品質に関する情報とを含む測定情報を記憶部に記憶する記憶ステップと、前記方向測定ステップにおける方向の測定と前記品質測定ステップにおける品質に関する情報の測定とを制御し、前記記憶部に記憶する前記測定情報を更新し、最良の品質が得られる方向を選択する制御ステップと、前記放送受信ステップにおいて受信された映像の上部が、前記制御ステップにおいて選択された最良の品質が得られる方向を向くように前記映像を回転させる映像回転ステップと、前記映像回転ステップにおいて回転された映像を表示する表示ステップとを含む。
【０１５４】
本発明の他の局面に係るテレビ放送受信プログラムは、指向性アンテナの方向を測定する方向測定部によって測定された方向と、指向性アンテナが受信した放送波の品質に関する情報を測定する品質測定部によって測定された品質に関する情報とを含む測定情報を記憶する記憶部と、前記方向測定部による方向の測定と前記品質測定部による品質に関する情報の測定とを制御し、前記記憶部に記憶する前記測定情報を更新し、最良の品質が得られる方向を選択する制御部と、指向性アンテナにより放送波を受信する放送受信部によって受信された映像の上部が、前記制御部によって選択された最良の品質が得られる方向を向くように前記映像を回転させる映像回転部と、前記映像回転部によって回転された映像を表示する表示部としてコンピュータを機能させる。
【０１５５】
本発明の他の局面に係るテレビ放送受信プログラムを記録したコンピュータ読み取り可能な記録媒体は、指向性アンテナの方向を測定する方向測定部によって測定された方向と、指向性アンテナが受信した放送波の品質に関する情報を測定する品質測定部によって測定された品質に関する情報とを含む測定情報を記憶する記憶部と、前記方向測定部による方向の測定と前記品質測定部による品質に関する情報の測定とを制御し、前記記憶部に記憶する前記測定情報を更新し、最良の品質が得られる方向を選択する制御部と、指向性アンテナにより放送波を受信する放送受信部によって受信された映像の上部が、前記制御部によって選択された最良の品質が得られる方向を向くように前記映像を回転させる映像回転部と、前記映像回転部によって回転された映像を表示する表示部としてコンピュータを機能させることを特徴とするテレビ放送受信プログラムを記録している。
【０１５６】
これらの構成によれば、指向性アンテナにより放送波が受信される。記憶部には、指向性アンテナの方向と、指向性アンテナが受信した放送波の品質に関する情報とを含む測定情報が記憶されている。指向性アンテナの方向の測定と品質に関する情報の測定とが制御され、記憶部に記憶する測定情報が更新され、最良の品質が得られる方向が選択される。そして、受信された映像の上部が、選択された最良の品質が得られる方向を向くように映像が回転され、回転された映像が表示される。
【０１５７】
したがって、表示される映像の上部が、放送波の最良の品質が得られる方向と一致するので、指向性アンテナの向きを映像の上部の方向へ誘導し、テレビ視聴に充分な品質が得られる方向に、指向性アンテナの向きを容易に変更することができる。
【０１５８】
また、上記の携帯型テレビ放送受信装置において、前記品質測定部は、前記指向性アンテナが受信した放送波の電界強度値を測定する電界強度測定部を含み、前記記憶部は、前記方向測定部によって測定された方向と、前記電界強度測定部によって測定された電界強度値とを含む測定情報を記憶し、前記制御部は、前記方向測定部による方向の測定と前記電界強度測定部による電界強度値の測定とを制御し、前記記憶部に記憶する前記測定情報を更新し、最大の電界強度値が得られる方向を選択し、前記映像回転部は、前記放送受信部によって受信された映像の上部が、前記制御部によって選択された最大の電界強度値が得られる方向を向くように前記映像を回転させることが好ましい。
【０１５９】
この構成によれば、記憶部には、指向性アンテナの方向と、指向性アンテナが受信した放送波の電界強度値とを含む測定情報が記憶されている。指向性アンテナの方向の測定と電界強度値の測定とが制御され、記憶部に記憶する測定情報が更新され、最大の電界強度値が得られる方向が選択される。そして、受信された映像の上部が、選択された最大の電界強度値が得られる方向を向くように映像が回転され、回転された映像が表示される。
【０１６０】
したがって、表示される映像の上部が、最大の電界強度値が得られる方向と一致するので、指向性アンテナの向きを映像の上部の方向へ誘導し、テレビ視聴に充分な電界強度が得られる方向に、指向性アンテナの向きを容易に変更することができる。
【０１６１】
また、上記の携帯型テレビ放送受信装置において、前記方向測定部は、指向性アンテナの方向の変化を検出した場合に方向変化通知を出力し、前記電界強度測定部は、電界強度値の変化を検出した場合に電界強度変化通知を出力し、前記制御部は、一定時間が経過する毎に、前記方向変化通知が入力された場合又は前記電界強度変化通知が入力された場合、前記方向測定部による方向測定と前記電界強度測定部による電界強度測定とを制御することが好ましい。
【０１６２】
この構成によれば、指向性アンテナの方向の変化が検出された場合に方向変化通知が出力され、電界強度値の変化が検出された場合に電界強度変化通知が出力される。そして、一定時間が経過する毎に、方向変化通知が入力された場合又は電界強度変化通知が入力された場合、方向測定と電界強度測定とが制御される。
【０１６３】
したがって、一定時間が経過する毎に、指向性アンテナの方向が変化した場合又は電界強度値が変化した場合、方向測定と電界強度測定とが制御されるので、常に最新の測定情報を記憶することができ、常に良好な受信品質を維持することができる。
【０１６４】
また、上記の携帯型テレビ放送受信装置において、前記制御部は、現在の前記指向性アンテナの方向に対応する電界強度値が閾値以上であるか否かを判断し、前記表示部は、電界強度値が閾値以上であると判断された場合、前記放送受信部によって受信された映像を回転させずに表示することが好ましい。
【０１６５】
この構成によれば、現在の指向性アンテナの方向に対応する電界強度値が閾値以上であるか否かが判断され、電界強度値が閾値以上であると判断された場合、受信された映像が回転されずに表示される。したがって、電界強度値が良好な受信品質が得られる閾値以上である場合に、指向性アンテナの方向を変更しなくてもテレビ放送を視聴することができる。
【０１６６】
また、上記の携帯型テレビ放送受信装置において、前記放送受信部は、前記電界強度値が閾値未満であると判断された場合、指向性アンテナにより受信された放送波をデコードするデコード処理の少なくとも一部を省略し、前記表示部は、前記放送受信部によって受信された映像を表示せずに、前記映像の上部を識別可能な表示枠のみを表示することが好ましい。この構成によれば、電界強度値が閾値未満であると判断された場合、デコード処理の少なくとも一部が省略され、受信された映像を表示せずに、映像の上部を識別可能な表示枠のみが表示されるので、消費電力を削減することができる。
【０１６７】
また、上記の携帯型テレビ放送受信装置において、前記表示部に映像が表示されているときに、ユーザによる電界強度値の登録指示を受け付ける電界強度登録受付部と、前記電界強度登録受付部によって登録指示が受け付けられたときの前記指向性アンテナの方向に対応する電界強度値を前記閾値として前記記憶部に登録する電界強度登録部とをさらに備えることが好ましい。
【０１６８】
この構成によれば、映像が表示されているときに、ユーザによる電界強度値の登録指示が受け付けられ、登録指示が受け付けられたときの指向性アンテナの方向に対応する電界強度値が閾値として記憶部に登録される。したがって、ユーザ毎に視聴可能な電界強度の閾値を設定することができ、各ユーザが満足する映像を表示することができる。
【０１６９】
また、上記の携帯型テレビ放送受信装置において、時計部をさらに備え、前記制御部は、前記測定情報に加えて前記時計部から取得した時刻を前記記憶部に記憶し、前記記憶部に記憶している前記測定情報を取得した時刻から閾値以上の時間が経過した場合、前記測定情報を前記記憶部から破棄することが好ましい。
【０１７０】
この構成によれば、測定情報を取得した時刻から閾値以上の時間が経過した場合、測定情報が記憶部から破棄されるので、古い測定情報に基づいて映像が表示されることを防止することができる。
【０１７１】
また、上記の携帯型テレビ放送受信装置において、前記携帯型テレビ放送受信装置の現在位置を測定する測位部をさらに備え、前記制御部は、前記測定情報に加えて前記測位部から取得した位置情報を前記記憶部に記憶し、前記記憶部に記憶している前記測定情報を取得した位置から閾値以上の距離を前記携帯型テレビ放送受信装置が移動した場合、前記測定情報を前記記憶部から破棄することが好ましい。
【０１７２】
この構成によれば、測定情報を取得した位置から閾値以上の距離を携帯型テレビ放送受信装置が移動した場合、測定情報が記憶部から破棄されるので、古い測定情報に基づいて映像が表示されることを防止することができる。
【０１７３】
また、上記の携帯型テレビ放送受信装置において、前記制御部は、閾値以上の電界強度値が得られる方向を選択し、閾値以上の電界強度値が得られる方向が複数ある場合、現在の前記指向性アンテナからの回転角度が最小となる方向を複数の方向の中から選択することが好ましい。
【０１７４】
この構成によれば、閾値以上の電界強度値が得られる方向が選択され、閾値以上の電界強度値が得られる方向が複数ある場合、現在の指向性アンテナからの回転角度が最小となる方向が複数の方向の中から選択されるので、指向性アンテナの向きを迅速に変更することができる。
【０１７５】
また、上記の携帯型テレビ放送受信装置において、前記記憶部は、前記閾値を記憶し、前記閾値を変更する変更部をさらに備えることが好ましい。この構成によれば、記憶部に閾値が記憶されており、この閾値が変更されるので、ユーザは所望の閾値に設定することができ、この閾値に基づいて各判断を行うことができる。
【０１７６】
また、上記の携帯型テレビ放送受信装置において、前記映像回転部は、前記映像を回転させる際に、前記映像全体が前記表示部の表示画面内に収まるサイズに縮小することが好ましい。この構成によれば、映像を回転させる際に、映像全体が表示部の表示画面内に収まるサイズに縮小されるので、映像の上部が表示画面内に確実に表示され、映像の上部を容易に認識することができる。
【０１７７】
また、上記の携帯型テレビ放送受信装置において、前記表示部は、前記映像回転部によって回転された映像を、前記映像の上部を識別可能な表示枠内に表示することが好ましい。この構成によれば、回転された映像が、映像の上部を識別可能な表示枠内に表示されるので、電界強度値が低下して映像が表示されない場合であっても、表示枠は表示されるので、表示枠の上部の方向を確認することで、最大の電界強度値が得られる方向を認識することができる。
【０１７８】
また、上記の携帯型テレビ放送受信装置において、前記表示部は、表示画面が円形状又は楕円形状であることが好ましい。この構成によれば、表示画面が円形状又は楕円形状であっても、最大の電界強度値が得られる方向を容易に認識することができる。
【０１７９】
また、上記の携帯型テレビ放送受信装置において、前記表示部に映像が表示されているときに、ユーザによる前記指向性アンテナの方向の登録指示を受け付ける方向登録受付部と、前記方向登録受付部によって登録指示が受け付けられたときの前記指向性アンテナの方向を前記記憶部に登録する方向登録部とをさらに備え、前記映像回転部は、前記放送受信部によって受信された映像の上部が、前記記憶部に登録されている方向を向くように前記映像を回転させることが好ましい。
【０１８０】
この構成によれば、映像が表示されているときに、ユーザによる指向性アンテナの方向の登録指示が受け付けられ、登録指示が受け付けられたときの指向性アンテナの方向が記憶部に登録され、受信された映像の上部が、記憶部に登録されている方向を向くように映像が回転される。したがって、指向性アンテナの方向が記憶部に登録された後は、電界強度値を測定することなく、映像の上部が、記憶部に登録されている方向を向くように映像を回転させることができ、より迅速に指向性アンテナの向きを誘導することができる。
【０１８１】
また、上記の携帯型テレビ放送受信装置において、前記制御部によって選択された最大の電界強度値が得られる方向と、現在の前記指向性アンテナの方向との角度を算出し、算出した角度分だけ前記指向性アンテナを自動的に移動させるアンテナ移動部をさらに備えることが好ましい。
【０１８２】
この構成によれば、最大の電界強度値が得られる方向と、現在の指向性アンテナの方向との角度が算出され、算出された角度分だけ指向性アンテナが自動的に移動されるので、ユーザが指向性アンテナの向きを変更する手間を省くことができる。
【０１８３】
また、上記の携帯型テレビ放送受信装置において、前記携帯型テレビ放送受信装置の現在位置を測定する測位部と、前記測位部によって測定された現在位置情報をサーバへ送信するとともに、前記現在位置における電界強度値を前記サーバから受信する通信部とをさらに備え、前記制御部は、前記通信部によって受信された電界強度値を初期値として前記記憶部に設定することが好ましい。
【０１８４】
この構成によれば、現在位置が測定され、測定された現在位置情報がサーバへ送信される。そして、現在位置における電界強度値がサーバから受信され、受信された電界強度値が初期値として記憶部に設定される。したがって、指向性アンテナの向きを変えて電界強度値を測定せずに、現在地における電界強度値を取得することができるので、ユーザの手間を省くことができ、指向性アンテナの向きを迅速に誘導することができる。
【０１８５】
また、上記の携帯型テレビ放送受信装置において、前記携帯型テレビ放送受信装置の現在位置を測定する測位部と、前記測位部によって測定された現在位置情報をサーバへ送信するとともに、前記現在位置の周辺の所定の位置における電界強度値と前記所定の位置の位置情報とを前記サーバから受信する通信部とをさらに備え、前記映像回転部は、前記放送受信部によって受信された映像の上部が、前記通信部によって受信された前記所定の位置の方向を向くように前記映像を回転させることが好ましい。
【０１８６】
この構成によれば、現在位置が測定され、測定された現在位置情報がサーバへ送信される。また、現在位置の周辺の所定の位置における電界強度値と所定の位置の位置情報とがサーバから受信される。そして、受信された映像の上部が、受信された所定の位置の方向を向くように映像が回転される。したがって、携帯型テレビ放送受信装置を所持するユーザを、電界強度値が充分に得られる位置まで誘導することができる。
【０１８７】
また、上記の携帯型テレビ放送受信装置において、前記品質測定部は、前記指向性アンテナが受信した放送波のビット誤り率を測定するビット誤り率測定部を含み、前記記憶部は、前記方向測定部によって測定された方向と、前記ビット誤り率測定部によって測定されたビット誤り率とを含む測定情報を記憶し、前記制御部は、前記方向測定部による方向の測定と前記ビット誤り率測定部によるビット誤り率の測定とを制御し、前記記憶部に記憶する前記測定情報を更新し、最小のビット誤り率が得られる方向を選択し、前記映像回転部は、前記放送受信部によって受信された映像の上部が、前記制御部によって選択された最小のビット誤り率が得られる方向を向くように前記映像を回転させることが好ましい。
【０１８８】
この構成によれば、記憶部には、指向性アンテナの方向と、指向性アンテナが受信した放送波のビット誤り率とを含む測定情報が記憶されている。指向性アンテナの方向測定とビット誤り率測定とが制御され、記憶部に記憶する測定情報が更新され、最小のビット誤り率が得られる方向が選択される。そして、受信された映像の上部が、選択された最小のビット誤り率が得られる方向を向くように映像が回転され、回転された映像が表示される。
【０１８９】
したがって、表示される映像の上部が、最小のビット誤り率が得られる方向と一致するので、指向性アンテナの向きを映像の上部の方向へ誘導し、テレビ視聴に充分な品質が得られる方向に、指向性アンテナの向きを容易に変更することができる。
【産業上の利用可能性】
【０１９０】
本発明にかかる携帯型テレビ放送受信装置、テレビ放送受信方法、テレビ放送受信プログラム及びテレビ放送受信プログラムを記録したコンピュータ読み取り可能な記録媒体は、テレビ視聴に充分な品質が得られる方向に、指向性アンテナの向きを容易に変更することができ、携帯端末向けの地上波デジタル・テレビ放送や地上波アナログ・テレビ放送を受信する携帯型テレビ放送受信装置、テレビ放送受信方法、テレビ放送受信プログラム及びテレビ放送受信プログラムを記録したコンピュータ読み取り可能な記録媒体等に利用可能である。
【０１９１】
また、上記以外にも、ＧＰＳを使わずにイベント会場のメイン会場に観客を誘導するようなナビゲーションシステム等にも利用可能である。
【図面の簡単な説明】
【０１９２】
【図１】本発明の実施の形態１における携帯型テレビ放送受信装置の構成を示す図である。
【図２】本発明の制御部の動作を説明するためのフローチャートである。
【図３】図２のステップＳ２における測定処理について説明するためのフローチャートである。
【図４】電界強度管理テーブルについて説明するための図である。
【図５】図２のステップＳ３における記憶部更新処理について説明するためのフローチャートである。
【図６】図２のステップＳ５における映像回転処理について説明するためのフローチャートである。
【図７】表示画面に表示される映像の表示例を示す図である。
【図８】アンテナ指向性の方向が変更した場合における電界強度管理テーブルついて説明するための図である。
【図９】電界強度管理テーブルを更新する更新シーケンスを示す図である。
【図１０】最大の電界強度が得られる方向にアンテナ指向性の方向が向くようにユーザを誘導する場合の映像の画角変更の表示例を示す図である。
【図１１】所定の閾値以上の電界強度が得られる方向にアンテナ指向性の方向が向くようにユーザを誘導する場合の映像の画角変更の表示例を示す図である。
【図１２】携帯型テレビ放送受信装置を用いて歩行者を目的地に誘導する例を示す図である。
【図１３】本発明の実施の形態２に係る携帯型テレビ放送受信装置の構成を示す図である。
【図１４】本発明の実施の形態２における測定処理を説明するためのフローチャートである。
【図１５】実施の形態２における電界強度管理テーブルの一例を示す図である。
【図１６】本発明の実施の形態２における記憶部更新処理を説明するためのフローチャートである。
【図１７】本実施の形態２における情報を破棄する処理について説明するための図である。
【図１８】図１７の各ポイントにおける電界強度を示す図である。
【図１９】本発明の実施の形態３に係る携帯型テレビ放送受信装置の構成を示す図である。
【図２０】本発明の実施の形態４に係る携帯型テレビ放送受信装置の外観を示す図である。
【図２１】図２０（ａ）に示す携帯型テレビ放送受信装置の構成を示す図である。
【図２２】図２０（ａ）に示す携帯型テレビ放送受信装置において、最大の電界強度が得られる方向にアンテナ指向性の方向が向くようにユーザを誘導する場合の映像の画角変更の表示例を示す図である。
【図２３】図２０（ａ）〜（ｄ）に示す携帯型テレビ放送受信装置の構成を示す図である。
【図２４】図２０（ｂ）に示す携帯型テレビ放送受信装置において、最大の電界強度が得られる方向にアンテナ指向性の方向が向くようにユーザを誘導する場合の映像の画角変更の表示例を示す図である。
【図２５】表示画面上に表示枠を表示する場合の表示画面の一例を示す図である。
【図２６】円形状の表示画面上に表示枠を表示する場合の表示画面の一例を示す図である。
【図２７】本発明の実施の形態５に係るテレビ放送受信システムの構成を示す図である。
【図２８】本発明の実施の形態５に係る携帯型テレビ放送受信装置の構成を示す図である。
【図２９】サーバから電界強度情報を取得して電界強度管理テーブルを設定する処理について説明するための図である。
【図３０】より充分な電界強度が得られる地点までユーザを誘導する実施の形態５の変形例について説明するための図である。
【図３１】表示画面に表示される電界強度情報の一例を示す図である。
【図３２】本発明の実施の形態６に係る携帯型テレビ放送受信装置の構成を示す図である。
【図３３】本発明の実施の形態７に係る携帯型テレビ放送受信装置の構成を示す図である。
【図１】
0004638910.tif 000002
【図２】
0004638910.tif 000003
【図３】
0004638910.tif 000004
【図４】
0004638910.tif 000005
【図５】
0004638910.tif 000006
【図６】
0004638910.tif 000007
【図７】
0004638910.tif 000008
【図８】
0004638910.tif 000009
【図９】
0004638910.tif 000010
【図１０】
0004638910.tif 000011
【図１１】
0004638910.tif 000012
【図１２】
0004638910.tif 000013
【図１３】
0004638910.tif 000014
【図１４】
0004638910.tif 000015
【図１５】
0004638910.tif 000016
【図１６】
0004638910.tif 000017
【図１７】
0004638910.tif 000018
【図１８】
0004638910.tif 000019
【図１９】
0004638910.tif 000020
【図２０】
0004638910.tif 000021
【図２１】
0004638910.tif 000022
【図２２】
0004638910.tif 000023
【図２３】
0004638910.tif 000024
【図２４】
0004638910.tif 000025
【図２５】
0004638910.tif 000026
【図２６】
0004638910.tif 000027
【図２７】
0004638910.tif 000028
【図２８】
0004638910.tif 000029
【図２９】
0004638910.tif 000030
【図３０】
0004638910.tif 000031
【図３１】
0004638910.tif 000032
【図３２】
0004638910.tif 000033
【図３３】
0004638910.tif 000034